(57)【要約】      （修正有）【課題】  残留画像現象を完全に除去し液晶表示器にて優れるＣＲＴ表示模擬効果が得られるＣＲＴパルス型表示を模擬したＬＣＤによって残留画像が原因の画像オーバーラップ・ぼやけ現象の除去方法及び装置の提供。【解決手段】  第１及び第２の入力制御ラインと、第１及び第２の入力データラインと、第１のコンデンサと、第２のコンデンサと、第１及び第２のトランジスターと、明度の制御・調整が可能なバックライトユニット及びバックライト電圧入力制御ラインとを備え、第１及び第２の入力制御ラインがゲートドライブと接続、第１及び第２の入力データラインがそれぞれデータドライブと接続し、黒ラインの走査期間に、バックライトユニットの明度を制御電圧で最小値に調整したとき、該期間における液晶総計光学レスポンスが最小値に調整され、表示画面同士間の残留画像による画像オーバーラップ・ぼやけ現象を確実に除去するという効果が得られる。【選択図】  図３
2006011077.tif 000002
【特許請求の範囲】
【請求項１】
第１の入力制御ラインと、
第２の入力制御ラインと、
第１の入力データラインと、
第２の入力データラインと、
保持コンデンサとなる接地の第１のコンデンサと、
液晶同等コンデンサとなる接地の第２のコンデンサと、
画像表示のため加速駆動電圧をＬＣＤパネルの画素へ出力するための出力駆動電圧ラインと、
前記第１の入力制御ラインと接続する第１のゲート極と、前記第１の入力データラインと接続する第１のソース極と、前記出力駆動電圧ライン、前記第１のコンデンサ及び第２のトランジスターのドレイン極と接続する第１のドレイン極とを有する第１のトランジスターと、
前記第２の入力制御ラインと接続する第２のゲート極と、前記第２の入力データラインと接続する第２のソース極と、前記第１のトランジスターのドレイン極、第２のコンデンサ及び出力駆動電圧ラインと接続する第２のドレイン極とを有する第２のトランジスターと、
明度の制御・調整が可能なバックライトユニット及びバックライト電圧入力制御ラインとを備え、
前記第１及び第２の入力制御ラインがゲートドライブと接続、前記第１及び第２の入力データラインがそれぞれデータドライブと接続し、
前記第１と第２の制御信号の周期パルス波形同士間の時間差は、調整可能なものであって、ｎ個パルスによるｎ本の走査ラインの時間差と等しく、
黒ラインの走査期間に、前記バックライトユニットの明度を制御電圧で最小値に調整したとき、該期間における液晶総計光学レスポンスが最小値に調整され、表示画面同士間の残留画像による画像オーバーラップ・ぼやけ現象を確実に除去するという効果を得ることを特徴とするＣＲＴパルス型画像表示を模擬したＬＣＤによる画像オーバーラップ・ぼやけ現象の除去装置。
【請求項２】
前記バックライトユニットは、目標の液晶総計光学レスポンスと液晶表示器の画像品質及び効果要求に応じて、冷陰極蛍光灯（ＣＣＦＬ）、発光ダイオード（ＬＥＤ）、有機発光ダイオード（ＯＬＥＤ）、ポリマ発光ダイオード（ＰＬＥＤ）及び電界発光体（ＥＬ）のうち何れか一種から構成し、
前記バックライトの明度レスポンスのパターンは目標値即座達成パターン（ＬＥＤ、ＯＬＥＤ、ＰＬＥＤ及びＥＬ）または目標値次第達成パターン（ＣＣＦＬ）であることを特徴とする請求項１に記載の画像オーバーラップ・ぼやけ現象の除去装置。
【請求項３】
前記バックライトユニットの（１）明度レスポンス最小値の開始時刻と（２）明度レスポンス最小値の時間幅及び（３）明度レスポンス最小値の大きさは調節可能であり、
そして、（４）液晶総計光学レスポンス最小値の開始時刻と（２）液晶総計光学レスポンス最小値の時間幅及び（３）液晶総計光学レスポンス最小値の大きさも液晶表示器表示品質要求に応じて調節可能であることを特徴とする請求項１に記載の画像オーバーラップ・ぼやけ現象の除去装置。
【請求項４】
第１の入力制御ラインと第２の入力制御ラインと第１の入力データラインと第２の入力データラインと第１のトランジスターと第２のトランジスターと第１のコンデンサと第２のコンデンサと出力駆動電圧ラインとからなる回路を提供するステップと、
周期パルス波形を有する第１の制御信号を第１のトランジスターのゲート極に提供するステップと、
位相が遅延することを除けば第１の制御信号と同様なものであって周期パルス波形を有する第２の制御信号を、前記第２のトランジスターのゲート極に提供するステップと、
第１のデータ信号を前記第１のトランジスターのソース極に提供し、前記第１の制御信号をトリガとして、該回路が該第１のデータ信号を前記出力駆動電圧ラインに提供するステップと、
第２のデータ信号を前記第２のトランジスターのソース極に提供し、前記第２の制御信号をトリガとして、該回路が該第２のデータ信号を前記出力駆動電圧ラインに提供するステップと、
前記ステップによる出力駆動電圧を前記画素へ出力し画像表示を行うステップと、
黒ラインの走査期間にバックライトユニットの明度を制御電圧で最小値に調整したとき、該期間における液晶総計光学レスポンスが最小値に調整され、表示画面同士間の残留画像による画像オーバーラップ・ぼやけ現象を確実に除去するという効果を得るステップを備えることを特徴とするＣＲＴパルス型画像表示を模擬したＬＣＤによる画像オーバーラップ・ぼやけ現象の除去方法。
【請求項５】
制御・駆動電圧としては、交流電圧（ＡＣ）を用い、その制御・駆動において位相にプラスとマイナスとの交替変化があり、該当変化の過程は、下記のように、順に時刻Ａ１―Ａ７を区切点として繰り返し、即ち、
（ａ）時刻Ａ１前の第Ｎ−１の画面において駆動パルス電圧ＶＬＣの値Ｖ１’（ｃｏｄｅ  ０）はマイナス、バックライト制御電圧ＢＶの値はＢＶ０、バックライト明度レスポンスＢＬの値はＢＬ０、波形液晶総計光学レスポンスの値はＬｑ１であり、
（ｂ）時刻Ａ１から第Ｎの画面がスタート、このとき、駆動パルス電圧ＶＬＣの値はプラスのＶ2（ｃｏｄｅ  ３２）に上昇し、且つ、時刻Ａ２までに維持され、バックライト制御電圧ＢＶの値はＢＶ１、バックライト明度レスポンスＢＬの値は段々とＢＬ１に上昇し、また、時刻Ａ１からＡ２にかけて、波形液晶総計光学レスポンスの値は段々とＬｑ１からＬｑ２までに上昇し、
（ｃ）時刻Ａ２に、駆動パルス電圧ＶＬＣの値はＶ2（ｃｏｄｅ  ３２）からＶ１（ｃｏｒｄ）に降下するが、依然としてプラスであり、一方、時刻Ａ２からバックライト制御電圧ＢＶの値はＢＶ１、バックライト明度レスポンスＢＬの値はＢＬ１に維持されており、時刻Ａ２から時刻３及び時刻４にかけて波形液晶総計光学レスポンスの値はＬｑ２から徐々にＬｑ１に降下し、
（ｄ）時刻Ａ３に、駆動パルス電圧ＶＬＣの値は依然としてプラスのＶ１（ｃｏｄｅ  ０）となっており、バックライト制御電圧ＢＶの値はＢＶ０に降下し、また、時刻Ａ３からＡ４にかけて、バックライト明度レスポンスＢＬの値は段々とＢＬ１からＢＬ０に降下し、また、時刻Ａ３から、波形液晶総計光学レスポンスの値は降下し、間もなくＬｑ１になるが、それから時刻４までそのまま変わらず、
（ｅ）時刻Ａ４から第Ｎ＋１の画面がスタート、このとき、駆動パルス電圧ＶＬＣの値はＶ１（ｃｏｄｅ  ０）からＶ３’（ｃｏｄｅ  １２０）に降下し、マイナスに転じ、バックライト制御電圧ＢＶの値はＢＶ１に上昇し、バックライト明度レスポンスＢＬの値は段々とＢＬ１までに上昇し、また、時刻Ａ４からＡ５にかけて波形液晶総計光学レスポンスの値は段々とＬｑ３までに上昇し、
（ｆ）時刻Ａ５に、駆動パルス電圧ＶＬＣの値はＶ１’（ｃｏｄｅ  ０）に上昇するが、依然としてマイナスであり、時刻Ａ５からバックライト制御電圧ＢＶの値はＢＶ１、バックライト明度レスポンスＢＬの値はＢＬ１に維持されており、波形液晶総計光学レスポンスの値は、時刻Ａ５から時刻６にかけて徐々に降下し、時刻６から間もなくＬｑ１になるが、それから時刻７までそのまま変わらず、
（ｇ）時刻Ａ６に、駆動パルス電圧ＶＬＣの値は依然としてマイナスのＶ１’（ｃｏｄｅ  ０）となっており、バックライト制御電圧ＢＶの値はＢＶ１からＢＶ０に降下するが、時刻７までに変わらず、また、時刻Ａ６からＡ７にかけてバックライト明度レスポンスＢＬの値は段々とＢＬ１からＢＬ０に降下し、また、時刻Ａ６から波形液晶総計光学レスポンスの値は降下し、間もなくＬｑ１になるが、それから時刻７までそのまま変わらず、
（ｈ）時刻Ａ７から第Ｎ＋２の画面がスタートし、前記（ｅ）と同様なステップが行われることを特徴とする請求項４に記載の画像オーバーラップ・ぼやけ現象の除去装置。
【請求項６】
第１の入力制御ラインと、
第２の入力制御ラインと、
第１の入力データラインと、
第２の入力データラインと、
第３の入力データラインと、
第４の入力データラインと、
第５の入力データラインと、
保持コンデンサとなる接地の第１のコンデンサと、
液晶同等コンデンサとなる接地の第２のコンデンサと、
第３のトランジスターと、
第４のトランジスターと、
模擬用駆動電圧をＬＣＤパネルの画素へ出力するための出力駆動電圧ラインと、
前記第１の入力制御ラインと接続する第１のゲート極と、前記第１の入力データラインと接続する第１のソース極と、前記出力駆動電圧ライン、前記第１のコンデンサ及び第２のトランジスターのドレイン極と接続する第１のドレイン極とを有する第１のトランジスターと、
前記第２の入力制御ラインと接続する第２のゲート極と、前記第２の入力データラインと接続する第２のソース極と、前記第１のトランジスターのドレイン極、前記第２のコンデンサ及び前記出力駆動電圧ラインと接続する第２のドレイン極とを有する第２のトランジスターと、
明度の制御・調整が可能なバックライトユニット及びバックライト入力電圧制御ラインとを備え、
前記第１と第２の入力制御ラインがゲートドライブと接続、前記第１と第２の入力データラインがそれぞれ両並列/切り替えのトランジスター即ち第３と第４のトランジスターのドレイン極と接続、該両並列/切り替えのトランジスターのソース極がデータドライブと接続、そのゲート極がそれぞれ第３と第４の入力データラインと接続し、
前記第１と第２の制御信号の周期パルス波形同士間の時間差は、調整可能なものであって、ｎ個パルスによるｎ本の走査ラインの時間差と等しく、
黒ラインの走査期間に前記バックライトユニットの明度を制御電圧で最小値に調整したとき、該期間における液晶総計光学レスポンスが最小値に調整され、表示画面同士間の残留画像による画像オーバーラップ・ぼやけ現象を確実に除去するという効果を得ることを特徴とするＣＲＴパルス型画像表示を模擬したＬＣＤによる画像オーバーラップ・ぼやけ現象の除去装置。
【請求項７】
前記バックライトユニットは、目標の液晶総計光学レスポンスと液晶表示器の画像品質及び効果要求に応じて、冷陰極蛍光灯（ＣＣＦＬ）、発光ダイオード（ＬＥＤ）、有機発光ダイオード（ＯＬＥＤ）、ポリマ発光ダイオード（ＰＬＥＤ）及び電界発光体（ＥＬ）のうち何れか一種から構成し、
前記バックライトの明度レスポンスのパターンは目標値即座達成パターン（ＬＥＤ、ＯＬＥＤ、ＰＬＥＤ及びＥＬ）または目標値次第達成パターン（ＣＣＦＬ）であることを特徴とする請求項６に記載の画像オーバーラップ・ぼやけ現象の除去装置。
【請求項８】
前記バックライトユニットの（１）明度レスポンス最小値の開始時刻と（２）明度レスポンス最小値の時間幅及び（３）明度レスポンス最小値の大きさは調節可能であり、
そして、（４）液晶総計光学レスポンス最小値の開始時刻と（２）液晶総計光学レスポンス最小値の時間幅及び（３）液晶総計光学レスポンス最小値の大きさも液晶表示器表示品質要求に応じて調節可能であることを特徴とする請求項６に記載の画像オーバーラップ・ぼやけ現象の除去装置。
【請求項９】
第１の入力制御ライン、第２の入力制御ライン、第１の入力データライン、第２の入力データライン、第３の入力データライン、第４の入力データライン、第５の入力データライン、第１のトランジスター、第２のトランジスター、第３のトランジスター、第４のトランジスター、第１のコンデンサ、第２のコンデンサ、及び出力駆動電圧ラインからなる回路を提供するステップと、
周期パルス波形を有する第１の制御信号を第１のトランジスターのゲート極に提供するステップと、
位相が遅延することを除けば前記第１の制御信号と同様なものであって周期パルス波形を有する第２の制御信号を、前記第２のトランジスターのゲート極に提供するステップと、
前記第５のデータ信号を並列の第３及び第４のトランジスターのソース極に提供するステップと、
前記第３のデータ信号を前記第３のトランジスターのゲート極に提供し、該第３のトランジスターのドレイン極によるパルス電圧を第１のデータ信号として前記第１のトランジスターのソース極に提供し、前記第１の制御信号をトリガとして前記第１のトランジスターが作動するとき該回路が前記第１のデータ信号を前記出力駆動電圧ラインに提供するステップと、
前記第４のデータ信号を前記第４のトランジスターのゲート極に提供し、前記第４のトランジスターのドレイン極によるパルス電圧を第２のデータ信号として前記第２のトランジスターのソース極に提供し、前記第２の制御信号をトリガとして前記第２のトランジスターが作動するとき該回路が該第２のデータ信号を前記出力駆動電圧ラインに提供するステップと、
前記ステップによる出力駆動電圧を画素へ出力し画像表示を行うステップと、
黒ラインの走査期間にバックライトの明度を制御電圧で最小値に調整したとき、該期間における液晶総計光学レスポンスが最小値に調整され、表示画面同士間の残留画像による画像オーバーラップ・ぼやけ現象が確実に除去されるという効果が得られるステップとからなることを特徴とするＣＲＴパルス型画像表示を模擬したＬＣＤによる画像オーバーラップ・ぼやけ現象の除去方法。
【請求項１０】
制御・駆動電圧としては、交流電圧（ＡＣ）を用い、その制御・駆動において位相にプラスとマイナスとの交替変化があり、該当変化の過程は、下記のように、順に時刻Ａ１―Ａ７を区切点として繰り返し、即ち、
（ａ）時刻Ａ１前の第Ｎ−１の画面において駆動パルス電圧ＶＬＣの値Ｖ１’（ｃｏｄｅ  ０）はマイナス、バックライト制御電圧ＢＶの値はＢＶ０、バックライト明度レスポンスＢＬの値はＢＬ０、波形液晶総計光学レスポンスの値はＬｑ１であり、
（ｂ）時刻Ａ１から第Ｎの画面がスタート、このとき、駆動パルス電圧ＶＬＣの値はプラスのＶ2（ｃｏｄｅ  ３２）に上昇し、且つ、時刻Ａ２までに維持され、バックライト制御電圧ＢＶの値はＢＶ１、バックライト明度レスポンスＢＬの値は段々とＢＬ１に上昇し、また、時刻Ａ１からＡ２にかけて、波形液晶総計光学レスポンスの値は段々とＬｑ１からＬｑ２までに上昇し、
（ｃ）時刻Ａ２に、駆動パルス電圧ＶＬＣの値はＶ2（ｃｏｄｅ  ３２）からＶ１（ｃｏｒｄ）に降下するが、依然としてプラスであり、一方、時刻Ａ２からバックライト制御電圧ＢＶの値はＢＶ１、バックライト明度レスポンスＢＬの値はＢＬ１に維持されており、時刻Ａ２から時刻３及び時刻４にかけて波形液晶総計光学レスポンスの値はＬｑ２から徐々にＬｑ１に降下し、
（ｄ）時刻Ａ３に、駆動パルス電圧ＶＬＣの値は依然としてプラスのＶ１（ｃｏｄｅ  ０）となっており、バックライト制御電圧ＢＶの値はＢＶ０に降下し、また、時刻Ａ３からＡ４にかけて、バックライト明度レスポンスＢＬの値は段々とＢＬ１からＢＬ０に降下し、また、時刻Ａ３から、波形液晶総計光学レスポンスの値は降下し、間もなくＬｑ１になるが、それから時刻４までそのまま変わらず、
（ｅ）時刻Ａ４から第Ｎ＋１の画面がスタート、このとき、駆動パルス電圧ＶＬＣの値はＶ１（ｃｏｄｅ  ０）からＶ３’（ｃｏｄｅ  １２０）に降下し、マイナスに転じ、バックライト制御電圧ＢＶの値はＢＶ１に上昇し、バックライト明度レスポンスＢＬの値は段々とＢＬ１までに上昇し、また、時刻Ａ４からＡ５にかけて波形液晶総計光学レスポンスの値は段々とＬｑ３までに上昇し、
（ｆ）時刻Ａ５に、駆動パルス電圧ＶＬＣの値はＶ１’（ｃｏｄｅ  ０）に上昇するが、依然としてマイナスであり、時刻Ａ５からバックライト制御電圧ＢＶの値はＢＶ１、バックライト明度レスポンスＢＬの値はＢＬ１に維持されており、波形液晶総計光学レスポンスの値は、時刻Ａ５から時刻６にかけて徐々に降下し、時刻６から間もなくＬｑ１になるが、それから時刻７までそのまま変わらず、
（ｇ）時刻Ａ６に、駆動パルス電圧ＶＬＣの値は依然としてマイナスのＶ１’（ｃｏｄｅ  ０）となっており、バックライト制御電圧ＢＶの値はＢＶ１からＢＶ０に降下するが、時刻７までに変わらず、また、時刻Ａ６からＡ７にかけてバックライト明度レスポンスＢＬの値は段々とＢＬ１からＢＬ０に降下し、また、時刻Ａ６から波形液晶総計光学レスポンスの値は降下し、間もなくＬｑ１になるが、それから時刻７までそのまま変わらず、
（ｈ）時刻Ａ７から第Ｎ＋２の画面がスタートし、前記（ｅ）と同様なステップが行われることを特徴とする請求項９に記載の画像オーバーラップ・ぼやけ現象の除去装置。
【請求項１１】
第１の入力制御ラインと、
第２の入力制御ラインと、
第１の入力データラインと、
保持コンデンサとなる接地の第１のコンデンサと、
液晶同等コンデンサとなる接地の第２のコンデンサと、
画像表示のため加速駆動電圧をＬＣＤパネルの画素へ出力するための出力駆動電圧ラインと、
前記第１の入力制御ラインと接続する第１のゲート極と、前記第１の入力データラインと接続する第１のソース極と、前記出力駆動電圧ライン、前記第１のコンデンサ及び第２のトランジスターの第２のドレイン極と接続する第１のドレイン極とを有する第１のトランジスターと、
前記第２の入力制御ラインと接続する第２のゲート極と、接地する第２のソース極と、前記第１のトランジスターのドレイン極、前記第２のコンデンサ及び前記出力駆動電圧ラインと接続する第２のドレイン極とを有する第２のトランジスターと、
明度の制御・調整が可能なバックライトユニット及びバックライト入力制御ラインとを備え、
前記第１と第２の入力制御ラインがゲート極ドライブと、前記第１の入力データラインがデータドライブと接続し、
前記第１の制御信号の周期パルス波形と第２の制御信号の周期パルス波形との時間差がｎ個パルスによるｎ本の走査ラインの時間差と等し、調整可能であり、
黒ラインの走査期間に前記バックライトユニットの明度を制御電圧で最小値に調整したとき、該期間における液晶総計光学レスポンスが最小値に調整され、表示画面同士間の残留画像による画像オーバーラップ・ぼやけ現象を確実に除去するという効果を得ることを特徴とするＣＲＴパルス型画像表示を模擬したＬＣＤによる画像オーバーラップ・ぼやけ現象の除去装置。
【請求項１２】
前記バックライトユニットは、目標の液晶総計光学レスポンスと液晶表示器の画像品質及び効果要求に応じて、冷陰極蛍光灯（ＣＣＦＬ）、発光ダイオード（ＬＥＤ）、有機発光ダイオード（ＯＬＥＤ）、ポリマ発光ダイオード（ＰＬＥＤ）及び電界発光体（ＥＬ）のうち何れか一種から構成し、
前記バックライトの明度レスポンスのパターンは目標値即座達成パターン（ＬＥＤ、ＯＬＥＤ、ＰＬＥＤ及びＥＬ）または目標値次第達成パターン（ＣＣＦＬ）であることを特徴とする請求項１１に記載の画像オーバーラップ・ぼやけ現象の除去装置。
【請求項１３】
前記バックライトユニットの（１）明度レスポンス最小値の開始時刻と（２）明度レスポンス最小値の時間幅及び（３）明度レスポンス最小値の大きさは調節可能であり、
そして、（４）液晶総計光学レスポンス最小値の開始時刻と（２）液晶総計光学レスポンス最小値の時間幅及び（３）液晶総計光学レスポンス最小値の大きさも液晶表示器表示品質要求に応じて調節可能であることを特徴とする請求項１１に記載の画像オーバーラップ・ぼやけ現象の除去装置。
【請求項１４】
第１の入力制御ライン、第２の入力制御ライン、第１の入力データライン、第１のトランジスター、第２のトランジスター、第１のコンデンサ、第２のコンデンサ、及び出力駆動電圧ラインからなる回路を提供するステップと、
周期パルス波形を有する第１の制御信号を前記第１のトランジスターの第１のゲート極に提供するステップと、
位相が遅延することを除けば前記第１の制御信号と同様なものであって周期パルス波形を有する第２の制御信号を、前記第２のトランジスターのゲート極に提供するステップと、
第１のデータ信号を前記第１のトランジスターのソース極に提供し、該第１の制御信号をトリガとして、該回路が該第１のデータ信号を前記出力駆動電圧ラインに提供するステップと、
前記第２の制御信号をトリガとして、前記回路が接地電位を前記出力駆動電圧ラインに提供するステップと、
前記ステップによる出力駆動電圧を画素へ出力し画像表示を行うステップと、
黒ラインの走査期間にバックライトの明度を制御電圧で最小値に調整したとき、該期間における液晶総計光学レスポンスが最小値に調整され、表示画面同士間の残留画像による画像オーバーラップ・ぼやけ現象を確実に除去するという効果が得られるステップとからなることを特徴とする画像オーバーラップ・ぼやけ現象の除去方法。
【請求項１５】
制御・駆動電圧としては、交流電圧（ＡＣ）を用い、その制御・駆動において位相にプラスとマイナスとの交替変化があり、該当変化の過程は、下記のように、順に時刻Ａ１―Ａ７を区切点として繰り返し、即ち、
（ａ）時刻Ａ１前の第Ｎ−１の画面において駆動パルス電圧ＶＬＣの値Ｖ１’（ｃｏｄｅ  ０）はマイナス、バックライト制御電圧ＢＶの値はＢＶ０、バックライト明度レスポンスＢＬの値はＢＬ０、波形液晶総計光学レスポンスの値はＬｑ１であり、
（ｂ）時刻Ａ１から第Ｎの画面がスタート、このとき、駆動パルス電圧ＶＬＣの値はプラスのＶ2（ｃｏｄｅ  ３２）に上昇し、且つ、時刻Ａ２までに維持され、バックライト制御電圧ＢＶの値はＢＶ１、バックライト明度レスポンスＢＬの値は段々とＢＬ１に上昇し、また、時刻Ａ１からＡ２にかけて、波形液晶総計光学レスポンスの値は段々とＬｑ１からＬｑ２までに上昇し、
（ｃ）時刻Ａ２に、駆動パルス電圧ＶＬＣの値はＶ2（ｃｏｄｅ  ３２）からＶ１（ｃｏｒｄ）に降下するが、依然としてプラスであり、一方、時刻Ａ２からバックライト制御電圧ＢＶの値はＢＶ１、バックライト明度レスポンスＢＬの値はＢＬ１に維持されており、時刻Ａ２から時刻３及び時刻４にかけて波形液晶総計光学レスポンスの値はＬｑ２から徐々にＬｑ１に降下し、
（ｄ）時刻Ａ３に、駆動パルス電圧ＶＬＣの値は依然としてプラスのＶ１（ｃｏｄｅ  ０）となっており、バックライト制御電圧ＢＶの値はＢＶ０に降下し、また、時刻Ａ３からＡ４にかけて、バックライト明度レスポンスＢＬの値は段々とＢＬ１からＢＬ０に降下し、また、時刻Ａ３から、波形液晶総計光学レスポンスの値は降下し、間もなくＬｑ１になるが、それから時刻４までそのまま変わらず、
（ｅ）時刻Ａ４から第Ｎ＋１の画面がスタート、このとき、駆動パルス電圧ＶＬＣの値はＶ１（ｃｏｄｅ  ０）からＶ３’（ｃｏｄｅ  １２０）に降下し、マイナスに転じ、バックライト制御電圧ＢＶの値はＢＶ１に上昇し、バックライト明度レスポンスＢＬの値は段々とＢＬ１までに上昇し、また、時刻Ａ４からＡ５にかけて波形液晶総計光学レスポンスの値は段々とＬｑ３までに上昇し、
（ｆ）時刻Ａ５に、駆動パルス電圧ＶＬＣの値はＶ１’（ｃｏｄｅ  ０）に上昇するが、依然としてマイナスであり、時刻Ａ５からバックライト制御電圧ＢＶの値はＢＶ１、バックライト明度レスポンスＢＬの値はＢＬ１に維持されており、波形液晶総計光学レスポンスの値は、時刻Ａ５から時刻６にかけて徐々に降下し、時刻６から間もなくＬｑ１になるが、それから時刻７までそのまま変わらず、
（ｇ）時刻Ａ６に、駆動パルス電圧ＶＬＣの値は依然としてマイナスのＶ１’（ｃｏｄｅ  ０）となっており、バックライト制御電圧ＢＶの値はＢＶ１からＢＶ０に降下するが、時刻７までに変わらず、また、時刻Ａ６からＡ７にかけてバックライト明度レスポンスＢＬの値は段々とＢＬ１からＢＬ０に降下し、また、時刻Ａ６から波形液晶総計光学レスポンスの値は降下し、間もなくＬｑ１になるが、それから時刻７までそのまま変わらず、
（ｈ）時刻Ａ７から第Ｎ＋２の画面がスタートし、前記（ｅ）と同様なステップが行われることを特徴とする請求項１４に記載の画像オーバーラップ・ぼやけ現象の除去装置。
【請求項１６】
第１の入力制御ラインと、
第２の入力制御ラインと、
第１の入力データラインと、
保持コンデンサとなる接地の第１のコンデンサと、
液晶同等コンデンサとなる接地の第２のコンデンサと、
画像表示のため加速駆動電圧をＬＣＤパネルの画素へ出力するための出力駆動電圧ラインと、
前記第１の入力制御ライン又は第２の入力制御ラインと接続するゲート極と、前記第１の入力データラインと接続するソース極と、前記出力駆動電圧ライン、両並列の前記第１と第２のコンデンサと接続するドレイン極とを有する第１のトランジスターと、
明度の制御・調整が可能なバックライトユニット及びバックライト入力制御ラインとを備え、
前記入力データラインがデータドライブと接続し、前記入力制御ラインがゲートドライブと接続し、前記ゲートドライブが出力有効化（OE）入力ライン及び初期水平パルス（STH）入力ラインを有し、これらの入力ラインを介して関連な信号を受信して前記入力制御ラインの同期制御パルス電圧を生成すると共に前記第１及び第２の入力制御ラインを介して前記トランジスターのゲート極に提供し、該当制御による駆動パルス電圧ＶＬＣにより同時に表示画面においてその間にｍ本の走査ラインを隔てる２本の同期走査ラインが生成し画像表示が行われ、
黒ラインの走査期間にバックライトの明度を制御電圧で最小値に調整したとき、該期間における液晶総計光学レスポンスが最小値に調整され、表示画面同士間の残留画像による画像オーバーラップ・ぼやけ現象が確実に除去されるという効果が得られることを特徴とするＣＲＴパルス型画像表示を模擬したＬＣＤによる画像オーバーラップ・ぼやけ現象の除去装置。
【請求項１７】
前記バックライトユニットは、目標の液晶総計光学レスポンスと液晶表示器の画像品質及び効果要求に応じて、冷陰極蛍光灯（ＣＣＦＬ）、発光ダイオード（ＬＥＤ）、有機発光ダイオード（ＯＬＥＤ）、ポリマ発光ダイオード（ＰＬＥＤ）及び電界発光体（ＥＬ）のうち何れか一種から構成し、
前記バックライトの明度レスポンスのパターンは目標値即座達成パターン（ＬＥＤ、ＯＬＥＤ、ＰＬＥＤ及びＥＬ）または目標値次第達成パターン（ＣＣＦＬ）であることを特徴とする請求項１６に記載の画像オーバーラップ・ぼやけ現象の除去装置。
【請求項１８】
前記バックライトユニットの（１）明度レスポンス最小値の開始時刻と（２）明度レスポンス最小値の時間幅及び（３）明度レスポンス最小値の大きさは調節可能であり、
そして、（４）液晶総計光学レスポンス最小値の開始時刻と（２）液晶総計光学レスポンス最小値の時間幅及び（３）液晶総計光学レスポンス最小値の大きさも液晶表示器表示品質要求に応じて調節可能であることを特徴とする請求項１６に記載の画像オーバーラップ・ぼやけ現象の除去装置。
【請求項１９】
第１の入力制御ライン、第２の入力制御ライン、第１の入力データライン、第１のトランジスター、第１のコンデンサ、第２のコンデンサ、及び出力駆動電圧ラインからなる回路を提供するステップと、
周期パルス波形を有するデータ信号を前記第１のトランジスターのソース極に提供するステップと、
ＯＥ及びＳＴＨ制御信号をゲートドライブに提供し、該ゲートドライブによる同期制御信号（Ｇ１、Ｇｍ）を前記トランジスターのゲート極に提供するステップと、
前記同期制御信号（Ｇ１、Ｇｍ）をトリガとして、該回路がデータ信号を前記出力駆動電圧ラインに提供するステップと、
前記ステップによる出力駆動電圧を画素へ出力し画像表示を行うステップと、
黒ラインの走査期間にバックライトユニットの明度を制御電圧で最小値に調整したとき、該期間における液晶総計光学レスポンスが最小値に調整され、表示画面同士間の残留画像による画像オーバーラップ・ぼやけ現象を確実に除去するという効果が得られることを特徴とするＣＲＴパルス型画像表示を模擬したＬＣＤによる画像オーバーラップ・ぼやけ現象の除去装置。
【請求項２０】
制御・駆動電圧としては、交流電圧（ＡＣ）を用い、その制御・駆動において位相にプラスとマイナスとの交替変化があり、該当変化の過程は、下記のように、順に時刻Ａ１―Ａ７を区切点として繰り返し、即ち、
（ａ）時刻Ａ１前の第Ｎ−１の画面において駆動パルス電圧ＶＬＣの値Ｖ１’（ｃｏｄｅ  ０）はマイナス、バックライト制御電圧ＢＶの値はＢＶ０、バックライト明度レスポンスＢＬの値はＢＬ０、波形液晶総計光学レスポンスの値はＬｑ１であり、
（ｂ）時刻Ａ１から第Ｎの画面がスタート、このとき、駆動パルス電圧ＶＬＣの値はプラスのＶ2（ｃｏｄｅ  ３２）に上昇し、且つ、時刻Ａ２までに維持され、バックライト制御電圧ＢＶの値はＢＶ１、バックライト明度レスポンスＢＬの値は段々とＢＬ１に上昇し、また、時刻Ａ１からＡ２にかけて、波形液晶総計光学レスポンスの値は段々とＬｑ１からＬｑ２までに上昇し、
（ｃ）時刻Ａ２に、駆動パルス電圧ＶＬＣの値はＶ2（ｃｏｄｅ  ３２）からＶ１（ｃｏｒｄ）に降下するが、依然としてプラスであり、一方、時刻Ａ２からバックライト制御電圧ＢＶの値はＢＶ１、バックライト明度レスポンスＢＬの値はＢＬ１に維持されており、時刻Ａ２から時刻３及び時刻４にかけて波形液晶総計光学レスポンスの値はＬｑ２から徐々にＬｑ１に降下し、
（ｄ）時刻Ａ３に、駆動パルス電圧ＶＬＣの値は依然としてプラスのＶ１（ｃｏｄｅ  ０）となっており、バックライト制御電圧ＢＶの値はＢＶ０に降下し、また、時刻Ａ３からＡ４にかけて、バックライト明度レスポンスＢＬの値は段々とＢＬ１からＢＬ０に降下し、また、時刻Ａ３から、波形液晶総計光学レスポンスの値は降下し、間もなくＬｑ１になるが、それから時刻４までそのまま変わらず、
（ｅ）時刻Ａ４から第Ｎ＋１の画面がスタート、このとき、駆動パルス電圧ＶＬＣの値はＶ１（ｃｏｄｅ  ０）からＶ３’（ｃｏｄｅ  １２０）に降下し、マイナスに転じ、バックライト制御電圧ＢＶの値はＢＶ１に上昇し、バックライト明度レスポンスＢＬの値は段々とＢＬ１までに上昇し、また、時刻Ａ４からＡ５にかけて波形液晶総計光学レスポンスの値は段々とＬｑ３までに上昇し、
（ｆ）時刻Ａ５に、駆動パルス電圧ＶＬＣの値はＶ１’（ｃｏｄｅ  ０）に上昇するが、依然としてマイナスであり、時刻Ａ５からバックライト制御電圧ＢＶの値はＢＶ１、バックライト明度レスポンスＢＬの値はＢＬ１に維持されており、波形液晶総計光学レスポンスの値は、時刻Ａ５から時刻６にかけて徐々に降下し、時刻６から間もなくＬｑ１になるが、それから時刻７までそのまま変わらず、
（ｇ）時刻Ａ６に、駆動パルス電圧ＶＬＣの値は依然としてマイナスのＶ１’（ｃｏｄｅ  ０）となっており、バックライト制御電圧ＢＶの値はＢＶ１からＢＶ０に降下するが、時刻７までに変わらず、また、時刻Ａ６からＡ７にかけてバックライト明度レスポンスＢＬの値は段々とＢＬ１からＢＬ０に降下し、また、時刻Ａ６から波形液晶総計光学レスポンスの値は降下し、間もなくＬｑ１になるが、それから時刻７までそのまま変わらず、
（ｈ）時刻Ａ７から第Ｎ＋２の画面がスタートし、前記（ｅ）と同様なステップが行われることを特徴とする請求項１９に記載の画像オーバーラップ・ぼやけ現象の除去装置。
【請求項２１】
第１の入力制御ラインと、
第２の入力制御ラインと、
第３の入力制御ラインと、
第１の入力データラインと、
保持コンデンサとなる接地の第１のコンデンサと、
液晶同等コンデンサとなる接地の第２のコンデンサと、
画像表示のため加速駆動電圧をＬＣＤパネルの画素へ出力するための出力駆動電圧ラインと、
前記第１の入力制御ライン、第２の入力制御ライン又は第３の入力制御ラインと接続するゲート極と、前記第１の入力データラインと接続するソース極と、前記出力駆動電圧ライン、両並列の前記第１と第２のコンデンサと接続するドレイン極とを有する第１のトランジスターと、
明度の制御・調整が可能なバックライトユニット及びバックライト入力制御ラインとを備え、
前記入力データラインがデータドライブと接続、前記入力制御ラインがゲートドライブと接続し、前記ゲートドライブが第１、第２及び第３の出力有効化（OE）入力ライン及び初期水平パルス（STH）入力ラインを有し、これらの入力ラインを介して関連な信号を受信し、即ち、該当ゲートドライブに入力される出力有効化（OE）信号の制御で前記ゲートドライブの出力として同期の２セットの制御パルス電圧を生成し、即ち、（Ｉ）（Ｇ１、Ｇｍ）と（II）（Ｇｍ＋１、Ｇ２ｍ）と（III）（Ｇ２ｍ＋１、Ｇ３ｍ）との三つの制御パルス電圧セットのうち２セットを選出し、該当第１、第２又は第３の入力制御ラインを介して生成の２セット制御パルス電圧（（Ｉ）と（III）、（Ｉ）と（II）又は（II）と（III））を順にかつ繰り返して該当トランジスターのゲート極に提供し、該当制御による駆動パルス電圧で表示画面においてその間にｍ本の走査ラインを隔てる２本の同期走査ラインを繰り返して生成し画像表示を行い、
黒ラインの走査期間にバックライトユニットの明度を制御電圧で最小値に調整したとき、該期間における液晶総計光学レスポンスが最小値に調整され、表示画面同士間の残留画像による画像オーバーラップ・ぼやけ現象が確実に除去されるという効果が得られることを特徴とするＣＲＴパルス型画像表示を模擬したＬＣＤによる画像オーバーラップ・ぼやけ現象の除去装置。
【請求項２２】
前記バックライトユニットは、目標の液晶総計光学レスポンスと液晶表示器の画像品質及び効果要求に応じて、冷陰極蛍光灯（ＣＣＦＬ）、発光ダイオード（ＬＥＤ）、有機発光ダイオード（ＯＬＥＤ）、ポリマ発光ダイオード（ＰＬＥＤ）及び電界発光体（ＥＬ）のうち何れか一種から構成し、
前記バックライトの明度レスポンスのパターンは目標値即座達成パターン（ＬＥＤ、ＯＬＥＤ、ＰＬＥＤ及びＥＬ）または目標値次第達成パターン（ＣＣＦＬ）であることを特徴とする請求項２１に記載の画像オーバーラップ・ぼやけ現象の除去装置。
【請求項２３】
前記バックライトユニットの（１）明度レスポンス最小値の開始時刻と（２）明度レスポンス最小値の時間幅及び（３）明度レスポンス最小値の大きさは調節可能であり、
そして、（４）液晶総計光学レスポンス最小値の開始時刻と（２）液晶総計光学レスポンス最小値の時間幅及び（３）液晶総計光学レスポンス最小値の大きさも液晶表示器表示品質要求に応じて調節可能であることを特徴とする請求項２１に記載の画像オーバーラップ・ぼやけ現象の除去装置。
【請求項２４】
第１の入力制御ライン、第２の入力制御ライン、第３の入力制御ライン、第１の入力データライン、第１のトランジスター、第１のコンデンサ、第２のコンデンサ、及び出力駆動電圧ラインからなる回路を提供するステップと、
周期パルス波形を有するデータ信号を前記トランジスターのソース極に提供するステップと、
ＯＥ及びＳＴＨ制御信号をゲートドライブの第１、第２及び第３の出力有効化（OE）入力ライン及び初期水平パルス（STH）入力ラインに出力し、これらの入力ラインを介して関連な信号を受信し、即ち、前記ゲートドライブに入力される出力有効化（OE）信号の制御で該ゲートドライブの出力端にて同期の２セットの制御パルス電圧を生成し、即ち、（Ｉ）（Ｇ１、Ｇｍ）と（II）（Ｇｍ＋１、Ｇ２ｍ）と（III）（Ｇ２ｍ＋１、Ｇ３ｍ）との三つの制御パルス電圧セットのうち２セットを選出し、該当第１、第２又は第３の制御ラインを介して生成の２セット（（Ｉ）と（III）、（Ｉ）と（II）又は（II）と（III））を順にかつ繰り返して該当トランジスターのゲート極に提供するステップと、
前記２セット（（Ｉ）と（III）、（Ｉ）と（II）又は（II）と（III））の同期制御信号をトリガとして、該回路が前記データ信号を前記出力駆動電圧ラインに提供するステップと、
前記ステップによる出力駆動電圧を画素へ出力することにより同時に表示画面においてその間に２ｍ本の走査ラインを隔てる２本の同期走査ラインを繰り返して生成し画像表示を行うステップと、
黒ラインの走査期間にバックライトユニットの明度を制御電圧で最小値に調整したとき、該期間における液晶総計光学レスポンスが最小値に調整され表示画面同士間の残留画像による画像オーバーラップ・ぼやけ現象を除去するという効果が得られるステップからなることを特徴とするＣＲＴパルス型画像表示を模擬するＬＣＤによる画像オーバーラップ・ぼやけ現象の除去方法。
【請求項２５】
制御・駆動電圧としては、交流電圧（ＡＣ）を用い、その制御・駆動において位相にプラスとマイナスとの交替変化があり、該当変化の過程は、下記のように、順に時刻Ａ１―Ａ７を区切点として繰り返し、即ち、
過程は、下記のように、順に時刻Ａ１―Ａ７を区切点として繰り返し、即ち、
（ａ）時刻Ａ１前の第Ｎ−１の画面において駆動パルス電圧ＶＬＣの値Ｖ１’（ｃｏｄｅ  ０）はマイナス、バックライト制御電圧ＢＶの値はＢＶ０、バックライト明度レスポンスＢＬの値はＢＬ０、波形液晶総計光学レスポンスの値はＬｑ１であり、
（ｂ）時刻Ａ１から第Ｎの画面がスタート、このとき、駆動パルス電圧ＶＬＣの値はプラスのＶ2（ｃｏｄｅ  ３２）に上昇し、且つ、時刻Ａ２までに維持され、バックライト制御電圧ＢＶの値はＢＶ１、バックライト明度レスポンスＢＬの値は段々とＢＬ１に上昇し、また、時刻Ａ１からＡ２にかけて、波形液晶総計光学レスポンスの値は段々とＬｑ１からＬｑ２までに上昇し、
（ｃ）時刻Ａ２に、駆動パルス電圧ＶＬＣの値はＶ2（ｃｏｄｅ  ３２）からＶ１（ｃｏｒｄ）に降下するが、依然としてプラスであり、一方、時刻Ａ２からバックライト制御電圧ＢＶの値はＢＶ１、バックライト明度レスポンスＢＬの値はＢＬ１に維持されており、時刻Ａ２から時刻３及び時刻４にかけて波形液晶総計光学レスポンスの値はＬｑ２から徐々にＬｑ１に降下し、
（ｄ）時刻Ａ３に、駆動パルス電圧ＶＬＣの値は依然としてプラスのＶ１（ｃｏｄｅ  ０）となっており、バックライト制御電圧ＢＶの値はＢＶ０に降下し、また、時刻Ａ３からＡ４にかけて、バックライト明度レスポンスＢＬの値は段々とＢＬ１からＢＬ０に降下し、また、時刻Ａ３から、波形液晶総計光学レスポンスの値は降下し、間もなくＬｑ１になるが、それから時刻４までそのまま変わらず、
（ｅ）時刻Ａ４に、駆動パルス電圧ＶＬＣの値はＶ１（ｃｏｄｅ  ０）からＶ３’（ｃｏｄｅ  １２０）に降下し、マイナスに転じ、バックライト制御電圧ＢＶの値はＢＶ１に上昇し、また、時刻Ａ４から、バックライト明度レスポンスＢＬの値は段々とＢＬ１までに上昇し、また、時刻Ａ４からＡ５にかけて、波形液晶総計光学レスポンスの値は段々とＬｑ３までに上昇し、
（ｆ）時刻Ａ５に、駆動パルス電圧ＶＬＣの値はＶ１’（ｃｏｄｅ  ０）に上昇するが、依然としてマイナスであり、時刻Ａ５からバックライト制御電圧ＢＶの値はＢＶ１、バックライト明度レスポンスＢＬの値はＢＬ１に維持されており、波形液晶総計光学レスポンスの値は、時刻Ａ５から時刻６にかけて徐々に降下し、時刻６から間もなくＬｑ１になるが、それから時刻７までそのまま変わらず、
（ｇ）時刻Ａ６に、駆動パルス電圧ＶＬＣの値は依然としてマイナスのＶ１’（ｃｏｄｅ  ０）となっており、バックライト制御電圧ＢＶの値はＢＶ１からＢＶ０に降下するが、時刻７までに変わらず、また、時刻Ａ６からＡ７にかけてバックライト明度レスポンスＢＬの値は段々とＢＬ１からＢＬ０に降下し、また、時刻Ａ６から波形液晶総計光学レスポンスの値は降下し、間もなくＬｑ１になるが、それから時刻７までそのまま変わらず、
（ｈ）時刻Ａ７から第Ｎ＋２の画面がスタートし、前記（ｅ）と同様なステップが行われることを特徴とする請求項２４に記載の画像オーバーラップ・ぼやけ現象の除去装置。
【請求項２６】
第１の入力制御ラインと、
第２の入力制御ラインと、
第３の入力制御ラインと、
第１の入力データラインと、
保持コンデンサとなる接地の第１のコンデンサと、
液晶同等コンデンサとなる接地の第２のコンデンサと、
画像表示のため加速駆動電圧をＬＣＤパネルの画素へ出力するための出力駆動電圧ラインと、
前記第１の入力制御ライン、第２の入力制御ライン又は第３の入力制御ラインと接続するゲート極と、前記第１の入力データラインと接続するソース極と、前記出力駆動電圧ライン、両並列の前記第１と第２のコンデンサと接続するドレイン極とを有する第１のトランジスターと、
明度の制御・調整が可能なバックライトユニット及びバックライト入力制御ラインとを備え、
入力データラインがデータドライブと接続し、入力制御ラインがゲートドライブと接続し、該ゲートドライブが第１、第２及び第３の出力有効化（OE）入力ライン及び初期水平パルス（STH）入力ラインを有し、これらの入力ラインを介して関連な信号を受信し、即ち、該ゲートドライブに入力される出力有効化（OE）信号の制御でゲートドライブの出力端にて（Ｉ）（Ｇ１、Ｇｍ）と（II）（Ｇｍ＋１、Ｇ２ｍ）と（III）（Ｇ２ｍ＋１、Ｇ３ｍ）との三つの制御パルス電圧セットからなる同期の３セットの制御パルス電圧を生成し、該当第１、第２又は第３の入力制御ラインを介して該３セットの制御電圧パルス（（Ｉ）と（II）及び（III））を前記トランジスターのゲート極に提供し、
該３セット（（Ｉ）と（II）及び（III））の同期制御信号をトリガとして、該回路がデータ信号を前記出力駆動電圧ラインに提供し、
該当制御による駆動パルス電圧で表示画面において互いにｍ本の走査ラインを隔てる３本の同期走査ラインを同時に生成し画像表示を行い、
黒ラインの走査期間にバックライトユニットの明度を制御電圧で最小値に調整したとき、該期間における液晶総計光学レスポンスが最小値に調整され表示画面同士間の残留画像による画像オーバーラップ・ぼやけ現象を除去するという効果が得られることを特徴とするＣＲＴパルス型画像表示を模擬したＬＣＤによる画像オーバーラップ・ぼやけ現象の除去装置。
【請求項２７】
前記バックライトユニットは、目標の液晶総計光学レスポンスと液晶表示器の画像品質及び効果要求に応じて、冷陰極蛍光灯（ＣＣＦＬ）、発光ダイオード（ＬＥＤ）、有機発光ダイオード（ＯＬＥＤ）、ポリマ発光ダイオード（ＰＬＥＤ）及び電界発光体（ＥＬ）のうち何れか一種から構成し、
前記バックライトの明度レスポンスのパターンは目標値即座達成パターン（ＬＥＤ、ＯＬＥＤ、ＰＬＥＤ及びＥＬ）または目標値次第達成パターン（ＣＣＦＬ）であることを特徴とする請求項２６に記載の画像オーバーラップ・ぼやけ現象の除去装置。
【請求項２８】
前記バックライトユニットの（１）明度レスポンス最小値の開始時刻と（２）明度レスポンス最小値の時間幅及び（３）明度レスポンス最小値の大きさは調節可能であり、
そして、（４）液晶総計光学レスポンス最小値の開始時刻と（２）液晶総計光学レスポンス最小値の時間幅及び（３）液晶総計光学レスポンス最小値の大きさも液晶表示器表示品質要求に応じて調節可能であることを特徴とする請求項２６に記載の画像オーバーラップ・ぼやけ現象の除去装置。
【請求項２９】
第１の入力制御ライン、第２の入力制御ライン、第３の入力制御ライン、第１の入力データライン、第１のトランジスター、第１のコンデンサ、第２のコンデンサ、及び出力駆動電圧ラインからなる回路を提供するステップと、
周期パルス波形を有するデータ信号を前記トランジスターのソース極に提供するステップと、
ＯＥ及びＳＴＨ制御信号をゲートドライブの第１、第２及び第３の出力有効化（OE）入力ライン及び初期水平パルス（STH）入力ラインに出力し、これらの入力ラインを介して関連な信号を受信し、即ち、ゲートドライブに入力される出力有効化（OE）信号の制御でゲートドライブの出力端にて（Ｉ）（Ｇ１、Ｇｍ）と（II）（Ｇｍ＋１、Ｇ２ｍ）と（III）（Ｇ２ｍ＋１、Ｇ３ｍ）との三つの制御パルス電圧セットからなる同期の３セットの制御パルス電圧を生成し、該当第１、第２又は第３の出力制御ラインを介して３セットの制御電圧パルス（（Ｉ）と（II）及び（III））をトランジスター（Ｑ１）のゲート極に提供するステップと、
３セットの同期制御信号（（Ｉ）と（II）及び（III））をトリガとして、該回路がデータ信号を出力駆動電圧ラインに提供するステップと、
前記ステップによる出力駆動電圧を画素へ出力することにより同時に表示画面において互いにｍ本の走査ラインを隔てる３本の同期走査ラインを生成し画像表示を行うステップと、
黒ラインの走査期間にバックライトの明度を制御電圧で最小値に調整したとき、該期間における液晶総計光学レスポンスが最小値に調整され表示画面同士間の残留画像による画像オーバーラップ・ぼやけ現象を除去するという効果が得られるステップからなることを特徴とするＣＲＴパルス型画像表示を模擬したＬＣＤによる画像オーバーラップ・ぼやけ現象の除去方法。
【請求項３０】
制御・駆動電圧としては、交流電圧（ＡＣ）を用い、その制御・駆動において位相にプラスとマイナスとの交替変化があり、該当変化の過程は、下記のように、順に時刻Ａ１―Ａ７を区切点として繰り返し、即ち、
過程は、下記のように、順に時刻Ａ１―Ａ７を区切点として繰り返し、即ち、
（ａ）時刻Ａ１前の第Ｎ−１の画面において駆動パルス電圧ＶＬＣの値Ｖ１’（ｃｏｄｅ  ０）はマイナス、バックライト制御電圧ＢＶの値はＢＶ０、バックライト明度レスポンスＢＬの値はＢＬ０、波形液晶総計光学レスポンスの値はＬｑ１であり、
（ｂ）時刻Ａ１から第Ｎの画面がスタート、このとき、駆動パルス電圧ＶＬＣの値はプラスのＶ2（ｃｏｄｅ  ３２）に上昇し、且つ、時刻Ａ２までに維持され、バックライト制御電圧ＢＶの値はＢＶ１、バックライト明度レスポンスＢＬの値は段々とＢＬ１に上昇し、また、時刻Ａ１からＡ２にかけて、波形液晶総計光学レスポンスの値は段々とＬｑ１からＬｑ２までに上昇し、
（ｃ）時刻Ａ２に、駆動パルス電圧ＶＬＣの値はＶ2（ｃｏｄｅ  ３２）からＶ１（ｃｏｒｄ）に降下するが、依然としてプラスであり、一方、時刻Ａ２からバックライト制御電圧ＢＶの値はＢＶ１、バックライト明度レスポンスＢＬの値はＢＬ１に維持されており、時刻Ａ２から時刻３及び時刻４にかけて波形液晶総計光学レスポンスの値はＬｑ２から徐々にＬｑ１に降下し、
（ｄ）時刻Ａ３に、駆動パルス電圧ＶＬＣの値は依然としてプラスのＶ１（ｃｏｄｅ  ０）となっており、バックライト制御電圧ＢＶの値はＢＶ０に降下し、また、時刻Ａ３からＡ４にかけて、バックライト明度レスポンスＢＬの値は段々とＢＬ１からＢＬ０に降下し、また、時刻Ａ３から、波形液晶総計光学レスポンスの値は降下し、間もなくＬｑ１になるが、それから時刻４までそのまま変わらず、
（ｅ）時刻Ａ４に、駆動パルス電圧ＶＬＣの値はＶ１（ｃｏｄｅ  ０）からＶ３’（ｃｏｄｅ  １２０）に降下し、マイナスに転じ、バックライト制御電圧ＢＶの値はＢＶ１に上昇し、また、時刻Ａ４から、バックライト明度レスポンスＢＬの値は段々とＢＬ１までに上昇し、また、時刻Ａ４からＡ５にかけて、波形液晶総計光学レスポンスの値は段々とＬｑ３までに上昇し、
（ｆ）時刻Ａ５に、駆動パルス電圧ＶＬＣの値はＶ１’（ｃｏｄｅ  ０）に上昇するが、依然としてマイナスであり、時刻Ａ５からバックライト制御電圧ＢＶの値はＢＶ１、バックライト明度レスポンスＢＬの値はＢＬ１に維持されており、波形液晶総計光学レスポンスの値は、時刻Ａ５から時刻６にかけて徐々に降下し、時刻６から間もなくＬｑ１になるが、それから時刻７までそのまま変わらず、
（ｇ）時刻Ａ６に、駆動パルス電圧ＶＬＣの値は依然としてマイナスのＶ１’（ｃｏｄｅ  ０）となっており、バックライト制御電圧ＢＶの値はＢＶ１からＢＶ０に降下するが、時刻７までに変わらず、また、時刻Ａ６からＡ７にかけてバックライト明度レスポンスＢＬの値は段々とＢＬ１からＢＬ０に降下し、また、時刻Ａ６から波形液晶総計光学レスポンスの値は降下し、間もなくＬｑ１になるが、それから時刻７までそのまま変わらず、
（ｈ）時刻Ａ７から第Ｎ＋２の画面がスタートし、前記（ｅ）と同様なステップが行われることを特徴とする請求項２９に記載の画像オーバーラップ・ぼやけ現象の除去装置。
【発明の詳細な説明】
【技術分野】
【０００１】
本発明は、ＣＲＴパルス型画像表示を模擬したＬＣＤによる画像オーバーラップ・ぼやけ現象を除去するのに用いられる方法及び装置に関わり、特に、液晶表示器でＣＲＴパルス型画像表示を模擬する際画面間の残留画像によるオーバーラップ・ぼやけ現象を除去するのに用いられる方法及び装置に関する。
【背景技術】
【０００２】
従来より、液晶表示（ＬＣＤ）装置は、個人向け電子製品やコンピュータ及び携帯電話のような無線通信設備等分野に広く応用されており、製品の種類がとても多い。よって、液晶表示器に関する技術は迅速に発展しつつある。液晶表示器は、電子製品に関しての軽量化や薄形化、小型化、低消耗電力及び低放熱量化という発展傾向に合う。液晶表示器の技術は、例えば、陰極線管（ＣＲＴ）又は発光ダイオード（ＬＥＤ）等従来又は既存の表示技術における制限や欠点を克服することができ、将来、コンピュータや通信設備及びその他の個人向け電子製品の応用及び発展において、重要な役割を果たすことを期待され、莫大な可能性を秘めている。
液晶表示器は、その平面表示効果がＣＲＴの画面表示効果より良いし、その消費電力及び放熱量が同レベルのＣＲＴのそれより低いため、次世代の携帯電話機用表示器やテレビ、展示又は広告表示用パネルとして用いられる。
【０００３】
一方、現在広く利用されているＬＥＤは、その自体の特性により、実際な応用において限界がある。例えば、ＬＥＤは、文字や数字又は静止画像の表示に適するが、生き生きとした効果を要求される動的画像の表示において液晶表示技術より遥かに劣化する。
【０００４】
現在、従来のＣＲＴを用いるテレビ及び表示器の代わりに、液晶表示技術を用いるテレビ及び表示器が大量に生産されている。しかし、既存の液晶表示技術及びこれを用いるテレビや表示器は、依然として、欠点があり、改良する必要がある。
ＣＲＴによる表示は、パルス型（impulse type）表示方式を用い、単一の電子光ビームを蛍光材料付画素に照射させることにより光線を発する。該画素では、各画面期間のごく短い時間即ち瞬間に光線を発するため、視覚上、画面同士間において画像のオーバーラップ現象が生じない。
【０００５】
一方、ＬＣＤによる表示は、ＬＣＤ材料自体の特性により保留型（hold type）表示方式を用い、ＬＣＤに駆動電圧を印加することにより光学レスポンス（輝度レベルレスポンス）を生成させ画像表示を行う。液晶材料自体の特性により、ＬＣＤによる画像表示の時間は画面時間（フレーム時間）の大半を占める。また、画像を変える毎に、明度が順に変わる。このため、観察者から見ると、前回画面の画像と現在画面の画像がオーバーラップし、画像の輪郭がぼやけたようになって、残留画像（after image）現象が生じる。
前記のように、光学レスポンスが遅いため、ＬＣＤ表示器にて残留画像が生じて、画像の輪郭がぼやけ現象が現れる。これを解消するために、従来、殆どのＬＣＤテレビ製造メーカーでは、オーバードライブ（over drive）という技術を以って、「ロード型」（load type）画像表示のＬＣＤ表示器を、ＣＲＴ表示器に類似する模擬パルス型（pseudo impulse type）のＬＣＤ表示器に変える。このようなＬＣＤ表示器は、その画像表示の時間は画面時間の一部しか占めてない。即ち、各画面期間に画像表示のない時間帯がある。
【０００６】
前記オーバードライブ方法は、加速駆動方法であり、即ち、液晶に対し元々設定の目標電圧（例えばcode120）より高い電圧（例えばcode200）を印加することにより、所定の光学レスポンス値が得られるように液晶分子のレスポンス速度を加速する方法である。このような方法により、液晶材料からなるＬＣＤ表示器における液晶輝度レベルレスポンス時間は一つの画面の時間にまで減縮される。
【０００７】
しかしながら、オーバードライブ技術によるＬＣＤ表示器は、その輝度レベルレスポンス時間が一つの画面の時間にまで減縮されるにも係らず、光学レスポンスの生成だけでなくその消滅も緩やかに行われるという液晶材料の特性により、画面における画像のオーバーラップ及び残留画像、即ち画像輪郭がぼやけたという現象を完全に除去することができない。
従来、残留画像を完全に除去するための方法としては、下記の（１）―（３）が挙げられる。
（１）画面において画像が表示された後の残留時間に黒色データ又は黒色画面を読み込む。
（２）バックライトを消す。例えば、日立より提案された点滅バックライト（blink light）法がある。
（３）前記（１）と（２）を組み合わせてなる方法である。即ち、黒色画面を読み込むとバックライトを消す方法である。
しかし、前記（１）―（３）の方法には、何れ、下記の（Ａ）−（Ｂ）のような欠点や限界がある。
（Ａ）倍クロック装置や点滅バックライトを増設するため、コストが増加する。
（Ｂ）装置の増設により電磁波の干渉が生じる。
（Ｃ）材質により液晶材料の変化様子が異なる。即ち、明から暗への変化が遅いが暗から明への変化が速い液晶材料があれば、明から暗への変化が速いが暗から明への変化が遅い液晶材料もある。
【０００８】
このため、前記（１）−（３）の方法は、良い効果が得られず、依然として、画面同士間での残留画像による画面オーバーラップ・ぼやけ現象が存在する。
そこで、液晶表示画面同士間での残留画像による画面オーバーラップ・ぼやけ現象を確実に除去するために、本出願の発明者は、特許文献１において、前記従来技術の欠点や限界を避けられる「ＣＲＴパルス型表示模擬に用いる方法及び装置」を提案した。特許文献１に提示される方法及び装置は、従来技術と違って、走査黒ライン（black line）を用いることを特徴とする。これにより、画像表示のための電圧制御用パルスの周期を8.3ｍｓ（120Ｈｚに相当）にまで短縮することができる。また、該当周期自体及び該当周期における走査黒ラインの走査時間は調整可能である。このため、材質の相違により液晶の光学レスポンスが異なるということに対処することができて、ＣＲＴパルス型表示を確実に模擬することが可能になる。また、従来の倍クロック装置使用によるコスト増加及び電磁波の干渉が避けられる。また、該特許文献１では、前記のような効果を奏する実施例としては、六つの例が挙げられている。従って、特許文献１の方法及び装置は、該当技術分野における重要な進展・突破を象徴する。
【０００９】
しかしながら、明から暗への光学レスポンスが遅くて黒ラインの走査期間内に光学レスポンス値が所定の低値に降下できない液晶材料もあるため、画面同士間での残留画像による画面オーバーラップ・ぼやけ現象を完全には避けられない。
【００１０】
【特許文献１】台湾特許出願９８１０３８２５
【発明の開示】
【発明が解決しようとする課題】
【００１１】
前記問題点に鑑み、本発明が解決しようとする課題は、残留画像現象を完全に除去し液晶表示器にて優れたＣＲＴ表示模擬効果が得られるＣＲＴパルス型表示を模擬したＬＣＤによる残留画像の除去方法及び装置を提供することにある。
具体的に、本発明の課題は、前記従来の制限や欠点を回避することができ、画面において黒ライン走査を行うと共にバックライトの明度を適宜に低レベルに降下し、該当期間における液晶総計光学レスポンスを最小値に制御し、ＣＲＴパルス型表示模擬を実現し、残留画像によるオーバーラップ・ぼやけ現象を有効に除去し、ＬＣＤ表示器の表示品質を大幅に改善し、装置の増設によるコスト割高を避けることができるＣＲＴパルス型表示を模擬したＬＣＤによる残留画像の除去方法及び装置を提供することにある。
【課題を解決するための手段】
【００１２】
本発明は特許文献１に記載の発明の後続発明である。黒ライン走査を利用してＬＣＤにてＣＲＴパルス型画像表示を模擬することは、特許文献１を参照できるので、ここで、その詳細を省略する。
以下に、まず、図１に基づいて、上記の課題を達成するための本発明のＣＲＴパルス型表示を模擬したＬＣＤによる残留画像の除去装置の構成及び原理を説明する。
図１は本発明の液晶表示器パネル及びバックライトモジュールの構成を示す概要図である。
また、図２の（ａ）―（ｂ）に基づいて、本発明の液晶分子の駆動パルス電圧ＶＬＣ、バックライト制御電圧ＢＶ、バックライト明度レスポンスＢＬ及び液晶総計光学レスポンスＬｑの波形曲線同士の関係を説明することにより、本発明装置の構成及び原理を説明する。
【００１３】
先ず、図２の（ａ）において、実線は本発明装置による液晶駆動パルス電圧ＶＬＣの波形（電圧単位はｃｏｄｅとする）を、破線は液晶分子の光学レスポンスの波形（単位はｎｉｔｓとする）を示す。また、破線（ｃ）は従来の装置においてバックライトユニットの明度を充分に低いレベルまでに調節したときの液晶分子の光学レスポンスの波形を、破線（ｄ）は本発明装置においてバックライトユニットの明度を充分に低いレベルまでに調節したときの液晶分子の光学レスポンスの波形を示す。これらの図から分かるように、表示器画面に黒ライン走査を行うと共に図２の（ｃ）に示すようにバックライトユニットの明度を適宜に降下することにより、液晶分子の総計光学レスポンスを目標の低レベルまでに降下することができる。例えば、図２の（ａ）の時刻Ａ３に、従来の液晶光学レスポンス曲線（ｃ）のａ点から本発明の液晶光学レスポンス曲線（ｄ）のｂ点に降下した。このため、第Ｎの画面と第Ｎ+１画面の間における残留画像による画面オーバーラップ・ぼやけ現象が除去され、ＬＣＤでＣＲＴパルス型表示を模擬する目的が達成される。これは本発明の特徴及び要点である。
【００１４】
次に、図２の（ｂ）において、バックライト制御電圧ＢＶの波形曲線（単位はボルト（Ｖ）とする）が示されている。ここで、ＢＶ１は表示器が正常状態にあるときバックライトユニットに印加する制御電圧、ＢＶ０はバックライトユニットの明度レスポンスを降下するのに印加する電圧を示す。該当バックライトユニットは線（ｌｉｎｅ）光源又は点（ｐｏｉｎｔ）光源であって良い。更に、該バックライトユニットの材料は、目標の光学レスポンスと画像品質及び残留画像除去効果に応じて、冷陰極蛍光灯（ＣＣＦＬ）、発光ダイオード（ＬＥＤ）、有機発光ダイオード（ＯＬＥＤ）、ポリマ発光ダイオード（ＰＬＥＤ）及び電界発光体（ＥＬ）のうち何れか一種から選出して良い。
【００１５】
図２の（ｃ）はバックライトユニットの明度（ＢＬ）レスポンス波形曲線（単位はＬｌｕｍｉｎａｎｃｅとする）である。ここで、ＢＬ１は表示が正常状態にあるときのバックライトの明度レスポンス、即ち、バックライトユニットに図２の（ｂ）の制御電圧ＢＶ１を印加するときのバックライトの明度レスポンス値を示す。ＢＬ０は画面同士間残留画像の除去のために黒ライン走査でバックライトの明度を降下した後のバックライトの明度値を示す。なお、図２の（ｃ）は、冷陰極蛍光灯（ＣＣＦＬ）を用いる例に関するものであるため、明度レスポンス値は、Ｖ形で変化し、最低点のｅ値になるまでに若干時間かかる。このため、明度レスポンスには時間遅延現象がある。一方、ＬＥＤやＯＬＥＤ、ＰＬＥＤ又はＥＬを用いる場合は、バックライトユニットの明度レスポンス曲線は目標既座達成パターン（既座に目標値に達するパターン）のレスポンス曲線となり、その波形は図２の（ｄ）に示すような深い井戸形状であるので、印加のバックライト制御電圧曲線も図２の（ｂ）に示すような深い井戸形状である。
【００１６】
総じて、図２の（ａ）の破線（ｃ）は特許文献１に用いる黒ライン走査方式による液晶光学レスポンス曲線（ｃ）、本発明のバックライトユニットの明度レスポンスを最小値に調節したときの液晶光学レスポンス曲線は曲線（ｄ）である。また、図２の（ａ）の点ａにおける液晶光学レスポンスに図２の（ｃ）の点ｅにおけるバックライト明度レスポンスを加えると、図２の（ａ）の点ｂにおける液晶総計光学レスポンスが得られる。これは本発明の方法及び装置の実施による最低液晶光学レスポンスである。これを液晶表示品質及び効果要求に応じて充分な低レベルにすることにより、画面同士間の残留画像による画面オーバーラップ・ぼやけ現象を除去するという目的が達成される。
【００１７】
また、本発明は、バックライトユニットに電圧を印加する時間の長さを調整・制御することにより、
（１）バックライトユニットの明度レスポンス最小値の開始時刻と、
（２）バックライトユニットの明度レスポンス最小値の時間幅即ち長さと、
（３）バックライトユニットの明度レスポンス最小値、即ち、明度レスポンスの減少・降下の大きさ、そして、これによる
（４）液晶総計光学レスポンス最小値の開始時刻と
（５）液晶総計光学レスポンス最小値の時間幅、及び
（６）液晶総計光学レスポンス最小値の降下幅
を調整することを特徴とする。
【００１８】
なお、前記バックライト明度の調整・制御による液晶分子の総計光学レスポンス最小値はレスポンス曲線の点に対応（即ち所定時刻に発生）することに限らない。バックライト電圧の印加時間幅の制御でバックライトの明度値レスポンス最小値の持続時間幅を調整することにより、所定期間（調整可能な期間）において液晶分子光学レスポンス最小値を持続的に維持することができる（図２の（ａ）に示す時刻Ａ３乃至Ａ４、及び時刻Ａ６乃至Ａ７間の水平の直線部分を参照）。これにより、画面同士間の残留画像による画面オーバーラップ・ぼやけ現象を確実に除去するという目的及び効果が得られる。但し、説明の簡単化や理解のし易さを配慮した結果、図２の（ｃ）において点でバックライト明度レスポンス最小値を示すことにした。
【００１９】
また、ＬＥＤ又はＥＬを用いるバックライトユニットが冷陰極蛍光灯（ＣＣＦＬ）を用いるバックライトユニットより優れるところは、そのバックライトの明度レスポンスのパターンが目標値即座達成パターン（即座に目標値に達するパターン）なので、バックライトユニットに電圧を印加すると即座に目標の明度レスポンス値が達成する（図２の（ｄ）参照）ことにある。また、ＬＥＤ又はＥＬ材質を用いるバックライトモジュールは、各種の設計ニーズに応じるために、順に増大する複数の目標値を設定して良い。
一方、ＣＣＦＬを用いるバックライトユニットの明度レスポンスは、目標値次第達成パターン（段々と目標値に達するパターン）であり、即ち、図２の（ｃ）に示すように、バックライトユニットに電圧を印加した後、目標値になるまでに、若干時間かかる。このため、該当バックライトユニットは、液晶総計光学レスポンス最小値の時間幅の減少にあまり寄与しない。しかも、普段、一種の材料からなるＣＣＦＬの明度レスポンスについては、一つの目標値しか設定できない。
【発明の効果】
【００２０】
前記の通り、本発明のＣＲＴパルス型画像表示を模擬したＬＣＤによる画像オーバーラップ・ぼやけ現象の除去方法及び装置は、従来の液晶表示器の欠点及び制限を確実に克服することができる。黒ラインの走査期間にバックライトユニットの明度を制御電圧で最小値に調整したとき、該期間における液晶総計光学レスポンスが最小値に調整され表示画面同士間の残留画像による画像オーバーラップ・ぼやけ現象を除去するという効果が得られる。また、装置の製造コストが低減し、機能が大幅に向上する。
【００２１】
なお、本発明のＣＲＴパルス型表示を模擬したＬＣＤによる画像オーバーラップ・ぼやけ現象の除去装置の実施例及び変形例は、以下に詳細に説明する。
また、本発明はＣＲＴパルス型表示を模擬したＬＣＤによる画像オーバーラップ・ぼやけ現象の除去方法にも係る。
なお、本発明の他の特徴及び利点は、後述の実施例並びに図面の説明から一層明瞭にする。
【発明を実施するための最良の形態】
【００２２】
以下、本発明の実施例を図面に基づいて説明する。下記の実施例では、波形表示を例にして、液晶分子及びバックライトユニットに印加の電圧と液晶分子光学レスポンス及びバックライトユニット明度レスポンスの特性及び動作を説明することにより、本発明の利点及び特徴を説明する。
下記の六つの実施例に係る図面のうち図４、６、８、１０、１２及び１３は、横軸を時間軸（単位はｍｓ、Ａ１−Ａ７は順に経過する時刻である）、縦軸を液晶駆動電圧（単位はｃｏｄｅ）軸とする。また、説明の便宜のために、これらの図において、時間は画面時間（フレーム時間）単位で第（Ｎ−１）、Ｎ、（Ｎ＋１）、（Ｎ＋２）・・・画面時間と区画する。また、図４の（ａ）、６の（ａ）、８の（ａ）、１０の（ａ）、１２の（ａ）及び１３の（ａ）の破線は液晶分子が異なる駆動電圧を印加されたとき起きる光学レスポンス（即ち輝度レベルレスポンス）の経過特性曲線を示す。該光学レスポンスは、普段、液晶による輝度（単位はｎｉｔｓ即ちｃｄ/ｍ２）で表す。
【００２３】
以下に、六つの実施例に係る回路図、液晶表示制御器画像ユニットの液晶駆動パルス電圧ＶＬＣ、バックライト制御電圧ＢＶ、バックライト明度レスポンスＢＬ、及び液晶総計光学レスポンスＬｑの波形曲線同士の関係から、本発明装置及び方法を説明する。
前記のように、本発明の目的は、ＣＲＴパルス型表示を模擬したＬＣＤによる画面オーバーラップ・ぼやけ現象の除去方法及び装置を提供することにあるため、各実施例における波形分析は、液晶駆動パルス電圧ＶＬＣ、バックライト制御電圧ＢＶ、バックライト明度レスポンスＢＬ、及び液晶総計光学レスポンスＬｑ等の波形曲線同士の関係をメインにして行う。なお、ＣＲＴ模擬装置による制御パルス電圧Ｇ１、Ｇ１・・・の波形と駆動パルス電圧Ｄ１，Ｄ１・・・の波形との関係は、特許文献１を参照することができるので、その説明を省略する。
【００２４】
なお、各実施例では、バックライト装置は、光学レスポンスがＶ形で目標次第達成パターン（段々と目標値に達するパターン）を有し時間遅延がある冷陰極蛍光灯（ＣＣＦＬ）とするが、これに限らず、ＬＥＤやＯＬＥＤ、ＰＬＥＤ又はＥＬ材質のものをバックライト装置として用いても、ＣＲＴパルス型表示を模擬したＬＣＤによる画面オーバーラップ・ぼやけ現象の除去方法及び装置を提供することができる。但し、これらの材質を用いるバックライト装置は、その明度レスポンスがＵ形（深い井戸形状）で目標即座達成パターン（即座に目標値に達するパターン）を有する（図２（ｄ）参照）。このようなバックライト装置による液晶総計光学レスポンス曲線の形状は、各実施例のＣＣＦＬによるものと若干相違するが、とても類似する。
【００２５】
前記のように、実施例では、ＣＣＦＬをバックライト装置として波形分析を行うが、ＬＥＤやＯＬＥＤ、ＰＬＥＤ又はＥＬのバックライト装置による液晶総計光学レスポンス曲線に関しての波形分析の詳細は、前記説明及び後述の各実施例における波形分析から容易に推知することができるので、その説明を省略する。
なお、説明の便宜のために、以下に、ＣＲＴパルス型画像表示を模擬したＬＣＤによる画像オーバーラップ・ぼやけ現象の除去方法及び装置は、単に、ぼやけた画像除去方法及び装置と称する。
【実施例１】
【００２６】
以下に、図１、図３の（ａ）、（ｂ）乃至図４の（ａ）―（ｄ）に基づいて本発明の第１の実施例を説明する。
図１は本発明の実施例１に係る液晶表示器パネル及びバックライトユニットの配置構造を示す。
図３の（ａ）は本発明の実施例１に係る複数のゲートラインとデータラインとの交差点からなる画素アレイ、及び複数のデータドライブと複数のゲートドライブとからなる模擬駆動回路を示す図である。
図３の（ｂ）は本発明の実施例１に係る液晶表示器の模擬駆動装置を示す図である。
図４の（ａ）―（ｄ）は図３の（ａ）、（ｂ）に示す模擬駆動装置による液晶駆動パルス電圧ＶＬＣ、液晶総計光学レスポンスＬｑ、バックライト制御電圧ＢＶ及びバックライト明度レスポンスＢＬの波形曲線同士の関係を示す図である。
【００２７】
[ぼやけた画像除去装置]
図３の（ａ）及び（ｂ）に示すように、模擬装置は、第１の入力制御ライン（Ｇ１）と、第２の入力制御ライン（Ｇ1’）と、第１の入力データライン（Ｄ１）と、第２の入力データライン（Ｄ１’）と、第１のコンデンサ（ＣＳ）と、第２のコンデンサ（ＣＬＣ）と、出力駆動電圧ラインと、第１のトランジスター（Ｑ）（第１の入力制御ライン（Ｇ１）と接続する第１のゲート極と、第１の入力データライン（Ｄ１）と接続する第１のソース極と、出力駆動電圧ライン、第１のコンデンサ（ＣＳ）及び第２のトランジスター（Ｑ’）のドレイン極と接続する第１のドレイン極とを有する）と、第２のトランジスター（Ｑ’）（第２の入力制御ライン（Ｇ１’）と接続する第２のゲート極と、第２の入力データライン（Ｄ１’）と接続する第２のソース極と、第１のトランジスターのドレイン極、第２のコンデンサ（ＣＬＣ）及び出力駆動電圧ラインと接続する第２のドレイン極とを有する）とからなる。第１のコンデンサ、第２のコンデンサはそれぞれ、接地する保持コンデンサ、液晶同等コンデンサである。また、出力駆動電圧ラインは画像表示のため模擬用駆動電圧をＬＣＤパネルの画素へ出力するのに用いられる。また、模擬装置は、明度の制御・調整が可能なバックライトユニット及びバックライト電圧入力制御ラインを有する。更に、模擬装置は、第１及び第２の入力制御ラインがゲートドライブと接続、第１及び第２の入力データラインがデータドライブと接続することを特徴とする。該模擬装置は、黒ラインの走査期間にバックライトユニットの明度を制御電圧で最小値に調整したとき、該期間における液晶総計光学レスポンスが最小値に調整され、表示画面同士間の残留画像による画像オーバーラップ・ぼやけ現象を確実に除去するという効果が達成される。
【００２８】
[ぼやけた画像除去方法]
本実施例１に係る模擬装置の駆動方法は、周期パルス波形を有する第１の制御信号（Ｇ１）を回路の第１のトランジスター（Ｑ）の第１のゲート極に提供するステップと、周期パルス波形を有する第２の制御信号（Ｇ１’）（第２の制御信号（Ｇ１’）は、位相が遅延することを除けば、第１の制御信号（Ｇ１）と同様である）を該回路の第２のトランジスター（Ｑ’）の第２のゲート極に提供するステップと、第１のデータ信号（Ｄ１）を該回路の第１のトランジスター（Ｑ）のソース極に提供し、第１の制御信号（Ｇ１）をトリガとして、該回路が該第１のデータ信号（Ｄ１）を出力駆動電圧ラインに提供するステップと、第２のデータ信号（Ｄ１’）を回路の第２のトランジスター（Ｑ’）のソース極に提供し、該第２の制御信号（Ｇ１’）をトリガとして、該回路が該第２のデータ信号（Ｄ１’）を出力駆動電圧ラインに提供するステップと、前記ステップによる出力駆動電圧を前記画素へ出力し画像表示を行うステップと、黒ラインの走査期間にバックライトユニットの明度を制御電圧で最小値に調整したとき、該期間における液晶総計光学レスポンスが最小値に調整され、表示画面同士間の残留画像による画像オーバーラップ・ぼやけ現象を確実に除去するステップからなる。
【００２９】
[波形分析]
以下に、図４の（ａ）―（ｄ）に基づいて、実施例１の図３の（ａ）、（ｂ）に示す模擬駆動装置による液晶駆動パルス電圧ＶＬＣ、液晶総計光学レスポンスＬｑ、バックライト制御電圧ＢＶ及びバックライト明度レスポンスＢＬ等の波形曲線同士の関係を説明する。
以下の説明において、駆動電圧Ｖ１、Ｖ２、Ｖ３はコードで示す電圧値とする。
なお、これらの駆動電圧は印加すると瞬間に目標値に達するが、液晶分子は、電圧を印加されるとき、目標の光学レスポンス位置に到達するまでに、若干時間がかかる。これは液晶材料自体の特性によるものである。
普段、液晶の駆動電圧としては交流電圧（ＡＣ）を用いるため、制御及び駆動において、位相はプラスとマイナスとの交替変化がある（即ち、駆動パルス電圧ＶＬＣの波形は、基準電圧ＶＣＯＭに関して、プラスとマイナスとの交替変化がある）。
【００３０】
前記波形は、順に時刻Ａ１、Ａ２・・・Ａ７を区切点として繰り返す。
時刻Ａ１前の第Ｎ−１の画面において駆動パルス電圧ＶＬＣの値Ｖ１’（ｃｏｄｅ  ０）はマイナス、バックライト制御電圧ＢＶの値はＢＶ０、バックライト明度レスポンスＢＬの値はＢＬ０、波形液晶総計光学レスポンスの値はＬｑ１である。
時刻Ａ１から第Ｎの画面がスタートする。このとき、駆動パルス電圧ＶＬＣの値はプラスのＶ2（ｃｏｄｅ  ３２）に上昇し、且つ、時刻Ａ２までに維持される。この時、バックライト制御電圧ＢＶの値はＢＶ１、バックライト明度レスポンスＢＬの値は段々とＢＬ１に上昇する。また、時刻Ａ１からＡ２にかけて、波形液晶総計光学レスポンスの値は徐々にＬｑ１からＬｑ２までに上昇する。
時刻Ａ２に、駆動パルス電圧ＶＬＣの値はＶ2（ｃｏｄｅ  ３２）からＶ１（ｃｏｒｄ）に降下するが、依然としてプラスである。一方、時刻Ａ２から、依然として、バックライト制御電圧ＢＶの値はＢＶ１、バックライト明度レスポンスＢＬの値はＢＬ１に維持されている。しかし、時刻Ａ２から時刻３及び時刻４にかけて、波形液晶総計光学レスポンスの値はＬｑ２から徐々にＬｑ１に降下する。
時刻Ａ３に、駆動パルス電圧ＶＬＣの値は依然としてプラスのＶ１（ｃｏｄｅ  ０）となっている。このとき、バックライト制御電圧ＢＶの値はＢＶ０に降下する。また、時刻Ａ３からＡ４にかけて、バックライト明度レスポンスＢＬの値は徐々にＢＬ１からＢＬ０に降下する。また、時刻Ａ３から、波形液晶総計光学レスポンスの値は降下し、間もなくＬｑ１になるが、それから時刻４までそのまま変わらない。
時刻Ａ４から第Ｎ＋１の画面がスタートする。このとき、駆動パルス電圧ＶＬＣの値はＶ１（ｃｏｄｅ  ０）からＶ３’（ｃｏｄｅ  １２０）に降下し、マイナスに転じる。同時に、バックライト制御電圧ＢＶの値はＢＶ１に上昇する。また、時刻Ａ４から、バックライト明度レスポンスＢＬの値は徐々にＢＬ１までに上昇する。また、時刻Ａ４からＡ５にかけて、波形液晶総計光学レスポンスの値は徐々にＬｑ３までに上昇する。
時刻Ａ５に、駆動パルス電圧ＶＬＣの値はＶ１’（ｃｏｄｅ  ０）に上昇するが、依然としてマイナスである。一方、時刻Ａ５から、依然として、バックライト制御電圧ＢＶの値はＢＶ１、バックライト明度レスポンスＢＬの値はＢＬ１に維持されている。しかし、波形液晶総計光学レスポンスの値は、時刻Ａ５から時刻６にかけて徐々に降下し、時刻６から間もなくＬｑ１になるが、それから時刻７までそのまま変わらない。
時刻Ａ６に、駆動パルス電圧ＶＬＣの値は依然としてマイナスのＶ１’（ｃｏｄｅ  ０）となっている。バックライト制御電圧ＢＶの値は時刻６にＢＶ１からＢＶ０に降下するが、この後、時刻７までに変わらない。また、時刻Ａ６からＡ７にかけて、バックライト明度レスポンスＢＬの値は徐々にＢＬ１からＢＬ０に降下する。また、時刻Ａ６から、波形液晶総計光学レスポンスの値は降下し、間もなくＬｑ１になるが、それから時刻７までそのまま変わらない。
時刻Ａ７から第Ｎ＋２の画面がスタートする。該当画面期間に、駆動パルス電圧ＶＬＣ、バックライト制御電圧ＢＶ、バックライト明度レスポンスＢＬ及び液晶総計光学レスポンスＬｑの波形変化は第Ｎ＋１の画面期間の時刻Ａ４−Ａ７における各波形変化と同様であるので、その説明を省略する。なお、第Ｎ＋２の画面後の各画面期間における各波形の変化は前記説明から容易に推知される。
【００３１】
図４の（ａ）の破線はＣＲＴ表示模擬のため駆動を行うときの液晶光学レスポンス特性曲線を示す。該図では各時刻同士間における出力駆動電圧ＶＬＣが（ｃｏｄｅ  ０）である場合、該当期間に表示パネルにて黒ライン走査を行い、従来の画面同士間での黒画面挿入と同様な効果が得られる。また、本発明では、バックライトユニットの明度は適当に調整可能なものとするため、液晶総計光学レスポンスＬｑの最小化が可能になる。これにより、画面同士間での残留画像による画面オーバーラップ・ぼやけ現象が確実に除去される。よって、ＬＣＤ表示器でＣＲＴ表示器のパルス型画像表示を模擬するという効果が得られる。これは本発明の従来の技術より最も優れるところである。
【実施例２】
【００３２】
以下に、図１、図５の（ａ）、（ｂ）乃至図６の（ａ）―（ｄ）に基づいて本発明の第２の実施例を説明する。
図１は本発明の実施例２に係る液晶表示器パネル及びバックライトユニットの配置構造を示す。
図５の（ａ）は本発明の実施例１に係る複数のゲートラインとデータラインとの交差点からなる画素アレイ、及び複数のデータドライブと複数のゲートドライブとからなる模擬駆動回路を示す図である。
図６の（ｂ）は本発明の実施例２に係る液晶表示器の模擬駆動装置を示す図である。
図６の（ａ）―（ｄ）は図５の（ａ）、（ｂ）に示す模擬駆動装置による液晶駆動パルス電圧ＶＬＣ、液晶総計光学レスポンスＬｑ、バックライト制御電圧ＢＶ及びバックライト明度レスポンスＢＬの波形曲線同士の関係を示す図である。
【００３３】
[ぼやけた画像除去装置]
図５の（ａ）及び（ｂ）に示すように、液晶表示器の加速駆動装置は、第１の入力制御ライン（Ｇ１）と、第２の入力制御ライン（Ｇ1’）と、第１の入力データライン（Ｄ１）と、第２の入力データライン（Ｄ１’）と、第３の入力データライン（Ｄ’）と、第４の入力データライン（Ｄ）と、第５の入力データライン（ＤＳ）と、第１のコンデンサ（ＣＳ）と、第２のコンデンサ（ＣＬＣ）と、第３のトランジスター（Ｑ３）と、第４のトランジスター（Ｑ４）と、出力駆動電圧ラインと、第１のトランジスター（Ｑ）（第１の入力制御ライン（Ｇ１）と接続する第１のゲート極と、第１の入力データライン（Ｄ１）と接続する第１のソース極と、出力駆動電圧ライン、第１のコンデンサ（ＣＳ）及び第２のトランジスター（Ｑ’）のドレイン極と接続する第１のドレイン極とを有する）と、第２のトランジスター（Ｑ’）（第２の入力制御ライン（Ｇ１’）と接続する第２のゲート極と、第２の入力データライン（Ｄ１’）と接続する第２のソース極と、第１のトランジスターのドレイン、第２のコンデンサ（ＣＬＣ）及び出力駆動電圧ラインと接続する第２のドレイン極とを有する）からなる。ここで、第１のコンデンサ、第２のコンデンサはそれぞれ、接地する保持コンデンサ、液晶同等コンデンサである。また、出力駆動電圧ラインは模擬用駆動電圧をＬＣＤパネルの画素へ出力するのに用いられる。また、模擬装置は、明度の制御・調整が可能なバックライトユニット及びバックライト電圧入力制御ラインを有する。
【００３４】
該駆動装置は、（１）第１と第２の入力制御ライン（Ｇ1、Ｇ1’）がゲートドライブと接続、第１と第２の入力データライン（Ｄ1、Ｄ1’）がそれぞれ両並列/切り替えのトランジスター即ち第３と第４のトランジスター（Ｑ３、Ｑ４）のドレイン極と接続、該両並列/切り替えのトランジスターのソース極がデータドライブと接続、そのゲート極がそれぞれと第３と第４の入力データライン（Ｄ’、Ｄ）と接続することと、（２）第１の制御信号（Ｇ１）の周期パルス波形と第２の制御信号（Ｇ１’）の周期パルス波形との時間差がｎ個パルスによるｎ本の走査ラインの時間差と等し、調整可能であることと、（３）黒ラインの走査期間にバックライトの明度を制御電圧で最小値に調整したとき、該期間における液晶総計光学レスポンスが最小値に調整され、表示画面同士間の残留画像による画像オーバーラップ・ぼやけ現象が確実に除去されることを特徴とする。
【００３５】
[ぼやけた画像除去方法]
本実施例２に係る液晶表示器の模擬駆動装置の駆動方法は、周期パルス波形を有する第１の制御信号（Ｇ１）を第１のトランジスターのゲート極に提供するステップと、周期パルス波形を有する第２の制御信号（Ｇ１’）（第２の制御信号（Ｇ１’）は、位相が遅延することを除けば、第１の制御信号（Ｇ１）と同様である）を第２のトランジスターのゲート極に提供するステップと、第５のデータ信号（ＤＳ）を並列の第３及び第４のトランジスター（Ｑ３，Ｑ４）のソース極に提供するステップと、第３のデータ信号（Ｄ’）を第３のトランジスター（Ｑ３）のゲート極に提供し、第３のトランジスター（Ｑ３）のドレイン極によるパルス電圧を第１のデータ信号（Ｄ１）として第１のトランジスター（Ｑ１）のソース極に提供し、第１の制御信号（Ｇ１）をトリガとして第１のトランジスター（Ｑ１）が作動するとき該回路が該第１のデータ信号（Ｄ１）を出力駆動電圧ラインに提供するステップと、第４のデータ信号（Ｄ）を第４トランジスター（Ｑ４）のゲート極に提供し、第４のトランジスター（Ｑ４）のドレイン極によるパルス電圧を第２のデータ信号（Ｄ１’）として第２のトランジスター（Ｑ’）のソース極に提供し、第２の制御信号（Ｇ１’）をトリガとして第２のトランジスター（Ｑ’）が作動するとき該回路が該第２のデータ信号（Ｄ１’）を出力駆動電圧ラインに提供するステップと、前記各ステップによる出力駆動電圧を前記画素へ出力し画像表示を行うステップと、黒ラインの走査期間にバックライトの明度を制御電圧で最小値に調整したとき、該期間における液晶総計光学レスポンスが最小値に調整され、表示画面同士間の残留画像による画像オーバーラップ・ぼやけ現象が確実に除去されるステップとからなる。
【００３６】
[波形分析]
以下に、図６の（ａ）―（ｄ）に基づいて、実施例２の図５の（ａ）、（ｂ）に示す模擬装置による液晶駆動パルス電圧ＶＬＣ、液晶総計光学レスポンスＬｑ、バックライト制御電圧ＢＶ及びバックライト明度レスポンスＢＬ等の波形曲線同士の関係を説明する。
本実施例２では、波形の変化過程は、実施例１のそれと同様で、実施例１の[波形分析]を参照すると分かるため、その説明を省略する。
図６の（ａ）の破線はＣＲＴ表示模擬のため駆動を行うときの液晶光学レスポンス特性曲線を示す。該図では各時刻同士間における出力駆動電圧ＶＬＣが（ｃｏｄｅ  ０）である場合、該当期間に表示パネルにて黒ライン走査を行い、従来の画面同士間に黒画面を挿入するということと同様な効果が得られる。また、本発明では、バックライトユニットの明度は適当に調整可能なものとするため、液晶総計光学レスポンスＬｑの最小化が可能になる。これにより、画面同士間での残留画像による画面オーバーラップ・ぼやけ現象が確実に除去される。よって、ＬＣＤ表示器でＣＲＴ表示器のパルス型画像表示を模擬するという効果が得られる。これは本発明の従来の技術より最も優れるところである。
本実施例２では、説明の便宜のため、模擬装置から出力される液晶駆動パルス電圧ＶＬＣ、液晶総計光学レスポンスＬｑ、バックライト制御電圧ＢＶ及びバックライト明度レスポンスＢＬ等の波形は、実施例１のそれと同様なものとするが、実際は、ニーズに応じて、異なる波形を用いても良い。
【実施例３】
【００３７】
以下に、図１、図７の（ａ）、（ｂ）及び図８の（ａ）―（ｄ）に基づいて本発明の第３の実施例を説明する。
図１は本発明の実施例３に係る液晶表示器パネル及びバックライトユニットの配置構造を示す。
図７の（ａ）は本発明の実施例３に係る複数のゲートラインとデータラインとの交差点からなる画素アレイ、及び複数のデータドライブと複数のゲートドライブとからなる模擬駆動回路を示す図である。
図７の（ｂ）は本発明の実施例３に係る液晶表示器の模擬駆動装置を示す図である。
図８の（ａ）―（ｄ）は図７の（ａ）、（ｂ）に示す模擬駆動装置による液晶駆動パルス電圧ＶＬＣ、液晶総計光学レスポンスＬｑ、バックライト制御電圧ＢＶ及びバックライト明度レスポンスＢＬの波形曲線同士の関係を示す図である。
【００３８】
[ぼやけた画像除去装置]
図７の（ａ）及び（ｂ）に示すように、液晶表示器の加速駆動装置は、第１の入力制御ライン（Ｇ１）と、第２の入力制御ライン（Ｇ１’）と、第１の入力データライン（Ｄ）と、第１のコンデンサ（ＣＳ）と、第２のコンデンサ（ＣＬＣ）と、出力駆動電圧ラインと、第１のトランジスター（Ｑ）（第１の入力制御ライン（Ｇ１）と接続する第１のゲート極と、第１の入力データライン（Ｄ１）と接続する第１のソース極と、出力駆動電圧ライン、第１のコンデンサ（ＣＳ）及び第２のトランジスター（Ｑ’）の第２のドレイン極と接続する第１のドレイン極とを有する）と、第２のトランジスター（Ｑ’）（第２の入力制御ライン（Ｇ１’）と接続する第２のゲート極と、接地する第２のソース極と、第１のトランジスターのドレイン極、第２のコンデンサ（ＣＬＣ）及び出力駆動電圧ラインと接続する第２のドレイン極とを有する）からなる。ここで、第１のコンデンサ、第２のコンデンサはそれぞれ、接地する保持コンデンサ、液晶同等コンデンサである。また、出力駆動電圧ラインは画像表示のために模擬用駆動電圧をＬＣＤパネルの画素へ出力するのに用いられる。また、模擬装置は、明度の制御・調整が可能なバックライトユニット及びバックライト入力電圧制御ラインを有する。
【００３９】
該駆動装置は、（１）第１と第２の入力制御ラインがゲート極ドライブと、第１の入力データラインがデータドライブと接続することと、（２）第１の制御信号の周期パルス波形と第２の制御信号の周期パルス波形との時間差がｎ個パルスによるｎ本の走査ラインの時間差と等しく、調整可能であることと、黒ラインの走査期間にバックライトの明度を制御電圧で最小値に調整したとき、該期間における液晶総計光学レスポンスが最小値に調整され、表示画面同士間の残留画像による画像オーバーラップ・ぼやけ現象が確実に除去されることを特徴とする。
【００４０】
[ぼやけた画像除去方法]
本実施例３に係る模擬駆動装置の駆動方法は、周期パルス波形を有する第１の制御信号（Ｇ１）を第１のトランジスター（Ｑ）の第１のゲート極に提供するステップと、周期パルス波形を有する第２の制御信号（Ｇ１’）（第２の制御信号（Ｇ１’）は、位相が遅延することを除けば、第１の制御信号（Ｇ１）と同様である）を第２のトランジスター（Ｑ’）の第２のゲート極に提供するステップと、第１のデータ信号（Ｄ１）を該回路の第１のトランジスター（Ｑ）のソース極に提供し、該第１の制御信号（Ｇ１）をトリガとして、該回路が該第１のデータ信号（Ｄ１）を出力駆動電圧ラインに提供するステップと、該第２の制御信号（Ｇ１’）をトリガとして、該回路が接地電位（ｃｏｄｅ  ０）を出力駆動電圧ラインに提供するステップと、前記ステップによる出力駆動電圧を前記画素へ出力し画像表示を行うステップと、黒ラインの走査期間にバックライトの明度を制御電圧で最小値に調整したとき、該期間における液晶総計光学レスポンスが最小値に調整され、表示画面同士間の残留画像による画像オーバーラップ・ぼやけ現象を確実に除去するステップとからなる。
【００４１】
[波形分析]
以下に、図８の（ａ）―（ｄ）に基づいて、実施例３の図７の（ａ）、（ｂ）に示す模擬装置による液晶駆動パルス電圧ＶＬＣ、液晶総計光学レスポンスＬｑ、バックライト制御電圧ＢＶ及びバックライト明度レスポンスＢＬ等の波形曲線同士の関係を説明する。
本実施例３では、波形の変化過程は、実施例１のそれと同様で、実施例１の[波形分析]を参照すると分かるため、その説明を省略する。
図８の（ａ）の破線はＣＲＴ表示模擬のため駆動を行うときの液晶光学レスポンス特性曲線を示す。該図では各時刻同士間における出力駆動電圧ＶＬＣが（ｃｏｄｅ  ０）である場合、該当期間に表示パネルにて黒ライン走査を行い、従来の画面同士間での黒画面挿入と同様な効果が得られる。また、本発明では、バックライトユニットの明度は適当に調整可能なものとするため、液晶総計光学レスポンスＬｑの最小化が可能になる。これにより、画面同士間での残留画像による画面オーバーラップ・ぼやける現象が確実に除去される。よって、ＬＣＤ表示器でＣＲＴ表示器のパルス型画像表示を模擬するという効果が得られる。これは本発明の従来の技術より最も優れるところである。
本実施例３では、説明の便宜のため、模擬装置から出力される液晶駆動パルス電圧ＶＬＣ、液晶総計光学レスポンスＬｑ、バックライト制御電圧ＢＶ及びバックライト明度レスポンスＢＬ等の波形は、実施例１のそれと同様なものとするが、実際は、ニーズに応じて、異なる波形を用いても良い。
【実施例４】
【００４２】
以下に、図１、図９の（ａ）、（ｂ）及び図１０の（ａ）―（ｄ）に基づいて本発明の第４の実施例を説明する。
図１は本発明の実施例４に係る液晶表示器パネル及びバックライトユニットの配置構造を示す。
図９の（ａ）は本発明の実施例４に係る複数のゲートラインとデータラインとの交差点からなる画素アレイ、及び複数のデータドライブと複数のゲートドライブとからなる模擬駆動回路を示す図である。
図９の（ｂ）は本発明の実施例４に係る液晶表示器の模擬駆動装置を示す図である。
図１０の（ａ）―（ｄ）は図９の（ａ）、（ｂ）に示す模擬駆動装置による液晶駆動パルス電圧ＶＬＣ、液晶総計光学レスポンスＬｑ、バックライト制御電圧ＢＶ及びバックライト明度レスポンスＢＬの波形曲線同士の関係を示す図である。
【００４３】
[ぼやけた画像除去装置]
図９の（ａ）及び（ｂ）に示すように、液晶表示器の加速駆動装置は、第１の入力制御ライン（Ｇ１）と、第２の入力制御ライン（Ｇｍ）と、第１の入力データライン（Ｄ１）と、第１のコンデンサ（ＣＳ）と、第２のコンデンサ（ＣＬＣ）と、出力駆動電圧ラインと、第１のトランジスター（Ｑ１）（第１の入力制御ライン（Ｇ１）又は第２の入力制御ライン（Ｇｍ）と接続するゲート極と、第１の入力データライン（Ｄ１）と接続するソース極と、出力駆動電圧ライン及び並列の二つのコンデンサ（ＣＳ、ＣＬＣ）と接続するドレイン極とを有する）とからなる。ここで、第１のコンデンサ、第２のコンデンサはそれぞれ接地する。また、出力駆動電圧ラインは、画像表示のために模擬用駆動電圧をＬＣＤパネルの画素へ出力するのに用いられる。また、模擬装置は、明度の制御・調整が可能なバックライトユニット及びバックライト入力電圧制御ラインを有する。
該駆動装置は、（１）入力データラインがデータドライブと接続し、入力制御ラインがゲートドライブと接続し、前記ゲートドライブが出力有効化（OE: output enable）入力ライン及び初期水平パルス（STH: start pulse horizontal）入力ラインを有し、これらの入力ラインを介して関連する信号を受信して入力制御ラインの同期制御パルス電圧、（Ｇ１、Ｇｍ）を生成すると共に第１及び第２の入力制御ラインを介してトランジスターのゲート極に提供し、該当制御による駆動パルス電圧ＶＬＣにより同時に表示画面においてその間にｍ本の走査ラインを隔てる２本の同期走査ラインが生成し画像表示が行われることと、（２）黒ラインの走査期間にバックライトの明度を制御電圧で最小値に調整したとき、該期間における液晶総計光学レスポンスが最小値に調整され、表示画面同士間の残留画像による画像オーバーラップ・ぼやけ現象が確実に除去されることを特徴とする。
【００４４】
[ぼやけた画像除去方法]
本実施例４に係る液晶表示器の加速駆動装置の駆動方法は、周期パルス波形を有するデータ信号（Ｄ１）を第１のトランジスター（Ｑ１）のソース極に提供するステップと、ＯＥ及びＳＴＨ制御信号をゲートドライブに提供することで該ゲートドライブにより同期制御信号（Ｇ１、Ｇｍ）を生成すると共に第１及び第２の入力制御ラインを介してトランジスター（Ｑ１）のゲート極に提供するステップと、同期制御信号（Ｇ１、Ｇｍ）をトリガとして、該回路がデータ信号を出力駆動電圧ラインに提供するステップと、前記ステップによる出力駆動電圧を画素へ出力し画像表示を行うステップと、黒ラインの走査期間にバックライトユニットの明度を制御電圧で最小値に調整したとき、該期間における液晶総計光学レスポンスが最小値に調整され、表示画面同士間の残留画像による画像オーバーラップ・ぼやけ現象を確実に除去することを特徴とする。
【００４５】
[波形分析]
以下に、図１０の（ａ）―（ｄ）に基づいて、実施例４の図９の（ａ）、（ｂ）に示す模擬装置による液晶駆動パルス電圧ＶＬＣ、液晶総計光学レスポンスＬｑ、バックライト制御電圧ＢＶ及びバックライト明度レスポンスＢＬ等の波形曲線同士の関係を説明する。
本実施例４では、波形の変化過程は、実施例１のそれと同様で、実施例１の[波形分析]を参照すると分かるため、その説明を省略する。
図１０の（ａ）の破線はＣＲＴ表示模擬のため駆動を行うときの液晶光学レスポンス特性曲線を示す。該図では各時刻同士間における出力駆動電圧ＶＬＣが（ｃｏｄｅ  ０）である場合、該当期間に表示パネルにて黒ライン走査を行い、従来の画面同士間での黒画面挿入と同様な効果が得られる。また、本発明では、バックライトユニットの明度は適当に調整可能なものとするため、液晶総計光学レスポンスＬｑの最小化が可能になる。これにより、画面同士間での残留画像による画面オーバーラップ・ぼやけ現象が確実に除去される。よって、ＬＣＤ表示器でＣＲＴ表示器のパルス型画像表示を模擬するという効果が得られる。これは本発明の従来の技術より最も優れるところである。
【００４６】
本実施例４では、説明の便宜のため、模擬装置から出力される液晶駆動パルス電圧ＶＬＣ、液晶総計光学レスポンスＬｑ、バックライト制御電圧ＢＶ及びバックライト明度レスポンスＢＬ等の波形は、実施例１のそれと同様なものとするが、実際は、ニーズに応じて、異なる波形を用いても良い。
【実施例５】
【００４７】
以下に、図１、図１１の（ａ）、（ｂ）乃至図１２の（ａ）―（ｄ）に基づいて本発明の第５の実施例を説明する。
なお、本実施例５及び実施例６の装置についての説明は何れも、図１１の（ａ）、（ｂ）を用いて行う。これにより、同様な装置にて異なる制御方法を用いると表示画面において異なる表示効果が得られるということを説明するためである。
図１は本発明の実施例５に係る液晶表示器パネル及びバックライトユニットの配置構造を示す。
図１１の（ａ）は本発明の実施例５に係る複数のゲートラインとデータラインとの交差点からなる画素アレイ、及び複数のデータドライブと複数のゲートドライブとからなる模擬駆動回路を示す図である。
図１１の（ｂ）は本発明の実施例５に係る液晶表示器の模擬駆動装置を示す図である。
図１２（ａ）―（ｄ）は図１１の（ａ）、（ｂ）に示す模擬駆動装置による液晶駆動パルス電圧ＶＬＣ、液晶総計光学レスポンスＬｑ、バックライト制御電圧ＢＶ及びバックライト明度レスポンスＢＬの波形曲線同士の関係を示す図である。
【００４８】
[ぼやけた画像除去装置]
図１１の（ａ）及び（ｂ）に示すように、液晶表示器の加速駆動装置は、第１の入力制御ライン（Ｇ１）と、第２の入力制御ライン（Ｇｍ＋１）と、第３の入力制御ライン（Ｇ２ｍ＋１）と、第１の入力データライン（Ｄ１）と、第１のコンデンサ（ＣＳ）と、第２のコンデンサ（ＣＬＣ）と、出力駆動電圧ラインと、第１のトランジスター（Ｑ１）（第１の入力制御ライン、第２の入力制御ライン又は第３の入力制御ラインと接続するゲート極と、第１の入力データライン（Ｄ１）と接続するソース極と、出力駆動電圧ライン及び並列の二つのコンデンサ（ＣＳ、ＣＬＣ）と接続するドレイン極とを有する）とからなる。第１のコンデンサ、第２のコンデンサはそれぞれ、接地する保持コンデンサ、液晶同等コンデンサである。また、出力駆動電圧ラインは画像表示のため模擬用駆動電圧をＬＣＤパネルの画素へ出力するのに用いられる。また、駆動装置は、明度の制御・調整が可能なバックライトユニット及びバックライト入力電圧制御ラインを有する。
【００４９】
更に、該駆動装置は、（１）入力データラインがデータドライブと接続、入力制御ラインがゲートドライブと接続し、ゲートドライブが第１、第２及び第３の出力有効化（OE）入力ライン及び初期水平パルス（STH）入力ラインを有し、これらの入力ラインを介して関連な信号を受信し、即ち、ゲートドライブに入力される出力有効化（OE）信号の制御でゲートドライブの出力として同期の２セットの制御パルス電圧を生成し（即ち、（Ｉ）（Ｇ１、Ｇｍ）と（II）（Ｇｍ＋１、Ｇ２ｍ）と（III）（Ｇ２ｍ＋１、Ｇ３ｍ）との三つの制御パルス電圧セットのうち２セットを選出する）、該当第１、第２又は第３の入力制御ラインを介して生成の二つのセット（（Ｉ）と（III）、（Ｉ）と（II）又は（II）と（III））を順にかつ繰り返して該当トランジスターのゲート極に提供し、該当制御による駆動パルス電圧ＶＬＣで画像を駆動し、表示画面においてその間にｍ本の走査ラインを隔てる２本の同期走査ラインを繰り返して生成し画像表示を行うことと、（２）黒ラインの走査期間にバックライトユニットの明度を制御電圧で最小値に調整したとき、該期間における液晶総計光学レスポンスが最小値に調整され、表示画面同士間の残留画像による画像オーバーラップ・ぼやけ現象が確実に除去されることを特徴とする。
【００５０】
[ぼやけた画像除去方法]
本実施例５に係る模擬装置の駆動方法は、（１）周期パルス波形を有するデータ信号（Ｄ１）をトランジスター（Ｑ１）のソース極に提供するステップと、ＯＥ及びＳＴＨ制御信号を該ゲートドライブの第１、第２及び第３の出力有効化（OE）入力ライン及び初期水平パルス（STH）入力ラインに出力し、これらの入力ラインを介して関連な信号を受信し、即ち、ゲートドライブに入力される出力有効化（OE）信号の制御でゲートドライブの出力端にて同期の２セットの制御パルス電圧を生成し（即ち、（Ｉ）（Ｇ１、Ｇｍ）と（II）（Ｇｍ＋１、Ｇ２ｍ）と（III）（Ｇ２ｍ＋１、Ｇ３ｍ）との三つの制御パルス電圧セットのうち２セットを選出する）、該当第１、第２又は第３の制御ラインを介して生成の２セット（（Ｉ）と（III）、（Ｉ）と（II）又は（II）と（III））を順にかつ繰り返して該当トランジスターのゲート極（Ｑ１）に提供し、２セット（（Ｉ）と（III）、（Ｉ）と（II）又は（II）と（III））の同期制御信号をトリガとして、該回路がデータ信号を出力駆動電圧ラインに提供し、前記ステップによる出力駆動電圧を画素へ出力することにより同時に表示画面においてその間に２ｍ本の走査ラインを隔てる２本の同期走査ラインを繰り返して生成し画像表示を行うステップと、（２）黒ラインの走査期間にバックライトユニットの明度を制御電圧で最小値に調整したとき、該期間における液晶総計光学レスポンスが最小値に調整され表示画面同士間の残留画像による画像オーバーラップ・ぼやけ現象を除去することを特徴とする。
【００５１】
[波形分析]
以下に、図１２の（ａ）―（ｄ）に基づいて、実施例５の図１１の（ａ）、（ｂ）に示す模擬駆動装置による液晶駆動パルス電圧ＶＬＣ、液晶総計光学レスポンスＬｑ、バックライト制御電圧ＢＶ及びバックライト明度レスポンスＢＬ等の波形曲線同士の関係を説明する。
普段、液晶の駆動電圧としては交流電圧（ＡＣ）を用いるため、制御及び駆動において位相ではプラスとマイナスとの交替変化がある（即ち、駆動パルス電圧ＶＬＣの波形は、基準電圧ＶＣＯＭラインに関して、プラスとマイナスとの交替変化がある）。
【００５２】
前記波形は、順に時刻Ａ１、Ａ２・・・Ａ７を区切点として繰り返す。
時刻Ａ１前の第Ｎ−１の画面において駆動パルス電圧ＶＬＣの値Ｖ１’（ｃｏｄｅ  ０）はマイナス、バックライト制御電圧ＢＶの値はＢＶ０、バックライト明度レスポンスＢＬの値はＢＬ０、波形液晶総計光学レスポンスの値はＬｑ１である。
時刻Ａ１から第Ｎの画面がスタートする。このとき、駆動パルス電圧ＶＬＣの値はプラスのＶ2（ｃｏｄｅ  ３２）に上昇し、且つ、時刻Ａ２までに維持される。この時、バックライト制御電圧ＢＶの値はＢＶ１、バックライト明度レスポンスＢＬの値は段々とＢＬ１に上昇する。また、時刻Ａ１からＡ２にかけて、波形液晶総計光学レスポンスの値は徐々にＬｑ１からＬｑ２までに上昇する。
時刻Ａ２に、駆動パルス電圧ＶＬＣの値はＶ2（ｃｏｄｅ  ３２）からＶ１（ｃｏｒｄ）に降下するが、依然としてプラスである。一方、時刻Ａ２から、依然として、バックライト制御電圧ＢＶの値はＢＶ１、バックライト明度レスポンスＢＬの値はＢＬ１に維持されている。しかし、時刻Ａ２から時刻３及び時刻４にかけて、波形液晶総計光学レスポンスの値はＬｑ２から徐々にＬｑ１に降下する。
時刻Ａ３に、駆動パルス電圧ＶＬＣの値は依然としてプラスのＶ１（ｃｏｄｅ  ０）となっている。このとき、バックライト制御電圧ＢＶの値はＢＶ０に降下する。また、時刻Ａ３からＡ４にかけて、バックライト明度レスポンスＢＬの値は徐々にＢＬ１からＢＬ０に降下する。また、時刻Ａ３から、波形液晶総計光学レスポンスの値は降下し、間もなくＬｑ１になるが、それから時刻４までそのまま変わらない。
時刻Ａ４に、駆動パルス電圧ＶＬＣの値はＶ１（ｃｏｄｅ  ０）からＶ３’（ｃｏｄｅ  １２０）に降下し、マイナスに転じる。同時に、バックライト制御電圧ＢＶの値はＢＶ１に上昇する。また、時刻Ａ４から、バックライト明度レスポンスＢＬの値は徐々にＢＬ１までに上昇する。また、時刻Ａ４からＡ５にかけて、波形液晶総計光学レスポンスの値は徐々にＬｑ３までに上昇する。
時刻Ａ５に、駆動パルス電圧ＶＬＣの値はＶ１’（ｃｏｄｅ  ０）に上昇するが、依然としてマイナスである。一方、時刻Ａ５から、依然として、バックライト制御電圧ＢＶの値はＢＶ１、バックライト明度レスポンスＢＬの値はＢＬ１に維持されている。しかし、波形液晶総計光学レスポンスの値は、時刻Ａ５から時刻Ａ６にかけて徐々に降下し、時刻Ａ６から間もなくＬｑ１になるが、それから時刻Ａ７までそのまま変わらない。
時刻Ａ６に、駆動パルス電圧ＶＬＣの値は依然としてマイナスのＶ１’（ｃｏｄｅ  ０）となっている。バックライト制御電圧ＢＶの値は時刻Ａ６にＢＶ１からＢＶ０に降下するが、この後、時刻Ａ７までに変わらない。また、時刻Ａ６からＡ７にかけて、バックライト明度レスポンスＢＬの値は徐々にＢＬ１からＢＬ０に降下する。また、時刻Ａ６から、波形液晶総計光学レスポンスの値は降下し、間もなくＬｑ１になるが、それから時刻Ａ７までそのまま変わらない。
時刻Ａ７から第Ｎ＋２の画面がスタートする。該当画面期間に、駆動パルス電圧ＶＬＣ、バックライト制御電圧ＢＶ、バックライト明度レスポンスＢＬ及び液晶総計光学レスポンスＬｑの波形変化は第Ｎ＋１の画面期間の時刻Ａ４−Ａ７における各波形変化と同様であるので、その説明を省略する。なお、第Ｎ＋２の画面後の各画面期間における各波形の変化は前記説明から容易に推知される。
【００５３】
図１２の（ａ）の破線はＣＲＴ表示模擬のため駆動を行うときの液晶光学レスポンス特性曲線を示す。該図では各時刻同士間における出力駆動電圧ＶＬＣが（ｃｏｄｅ  ０）である場合、該当期間に表示パネルにて黒ライン走査を行い、従来の画面同士間での黒画面挿入と同様な効果が得られる。また、本発明では、バックライトユニットの明度は適当に調整可能なものとするため、液晶総計光学レスポンスＬｑの最小化が可能になる。これにより、画面同士間での残留画像による画面オーバーラップ・ぼやけ現象が確実に除去される。よって、ＬＣＤ表示器でＣＲＴ表示器のパルス型画像表示を模擬するという効果が得られる。これは本発明の従来の技術より最も優れるところである。
本実施例５では、説明の便宜のため、模擬装置から出力される液晶駆動パルス電圧ＶＬＣ、液晶総計光学レスポンスＬｑ、バックライト制御電圧ＢＶ及びバックライト明度レスポンスＢＬ等の波形は、実施例１のそれと同様なものとするが、実際は、ニーズに応じて、異なる波形を用いても良い。
【実施例６】
【００５４】
以下に、図１、図１１の（ａ）、（ｂ）乃至図１３の（ａ）―（ｄ）に基づいて本発明の第６の実施例を説明する。
なお、本実施例６及び実施例５の装置についての説明は何れも、図１１の（ａ）、（ｂ）を用いて行う。これは、同様な装置にて異なる制御方法を用いると表示画面において異なる表示効果が得られることを説明するためである。
図１は本発明の実施例６に係る液晶表示器パネル及びバックライトユニットの配置構造を示す。
図１１の（ａ）は本発明の実施例５に係る複数のゲートラインとデータラインとの交差点からなる画素アレイ、及び複数のデータドライブと複数のゲートドライブとからなる模擬駆動回路を示す図である。
図１１の（ｂ）は本発明の実施例６に係る液晶表示器の模擬駆動装置を示す図である。
図１３（ａ）―（ｄ）は図１１の（ａ）、（ｂ）に示す模擬駆動装置による液晶駆動パルス電圧ＶＬＣ、液晶総計光学レスポンスＬｑ、バックライト制御電圧ＢＶ及びバックライト明度レスポンスＢＬの波形曲線同士の関係を示す図である。
【００５５】
[ぼやけた画像除去装置]
図１１の（ａ）及び（ｂ）に示すように、液晶表示器の加速駆動装置は、第１の入力制御ライン（Ｇ１）と、第２の入力制御ライン（Ｇｍ＋１）と、第３の入力制御ライン（Ｇ２ｍ＋１）と、第１の入力データライン（Ｄ１）と、第１のコンデンサ（ＣＳ）と、第２のコンデンサ（ＣＬＣ）と、出力駆動電圧ラインと、第１のトランジスター（Ｑ１）（第１の入力制御ライン、第２の入力制御ライン又は第３の入力制御ラインと接続するゲート極と、第１の入力データライン（Ｄ１）と接続するソース極と、出力駆動電圧ライン及び並列の二つのコンデンサ（ＣＳ、ＣＬＣ）と接続するドレイン極とを有する）とからなる。第１のコンデンサ、第２のコンデンサはそれぞれ、接地する保持コンデンサ、液晶同等コンデンサである。また、出力駆動電圧ラインは画像表示のため模擬用駆動電圧をＬＣＤパネルの画素へ出力するのに用いられる。また、駆動装置は、明度の制御・調整が可能なバックライトユニット及びバックライト入力電圧制御ラインを有する。
【００５６】
更に、該駆動装置は、（１）入力データラインがデータドライブと接続し、入力制御ラインがゲートドライブと接続し、ゲートドライブが第１、第２及び第３の出力有効化（OE）入力ライン及び初期水平パルス（STH）入力ラインを有し、これらの入力ラインを介して関連な信号を受信し、即ち、ゲートドライブに入力される出力有効化（OE）信号の制御でゲートドライブの出力端にて同期の３セットの制御パルス電圧を生成し（即ち、（Ｉ）（Ｇ１、Ｇｍ）と（II）（Ｇｍ＋１、Ｇ２ｍ）と（III）（Ｇ２ｍ＋１、Ｇ３ｍ）との三つの制御パルス電圧セットから構成する）、該当第１、第２又は第３の入力制御ラインを介して３セットの制御電圧パルス（（Ｉ）と（II）及び（III））をトランジスター（Ｑ１）のゲート極に提供することと、（２）３セット（（Ｉ）と（II）及び（III））の同期制御信号をトリガとして、該回路がデータ信号を出力駆動電圧ラインに提供し、該当制御による駆動パルス電圧ＶＬＣで画素を駆動し表示画面において互いにｍ本の走査ラインを隔てる３本の同期走査ラインを同時に生成し画像表示を行うことと、黒ラインの走査期間にバックライトユニットの明度を制御電圧で最小値に調整したとき、該期間における液晶総計光学レスポンスが最小値に調整され表示画面同士間の残留画像による画像オーバーラップ・ぼやけ現象を除去することを特徴とする。
【００５７】
[ぼやけた画像除去方法]
本実施例６に係る液晶表示器の模擬装置の駆動方法は、周期パルス波形を有するデータ信号（Ｄ１）をトランジスター（Ｑ１）のソース極に提供するステップと、ＯＥ及びＳＴＨ制御信号をゲートドライブの第１、第２及び第３の出力有効化（OE）入力ライン及び初期水平パルス（STH）入力ラインに出力し、これらの入力ラインを介して関連な信号を受信し、即ち、ゲートドライブに入力される出力有効化（OE）信号の制御でゲートドライブの出力端にて同期の３セットの制御パルス電圧を生成し（即ち、（Ｉ）（Ｇ１、Ｇｍ）と（II）（Ｇｍ＋１、Ｇ２ｍ）と（III）（Ｇ２ｍ＋１、Ｇ３ｍ）との三つの制御パルス電圧セットから構成する）、該当第１、第２又は第３の出力制御ラインを介して３セットの制御電圧パルス（（Ｉ）と（II）及び（III））をトランジスター（Ｑ１）のゲート極に提供するステップと、３セットの同期制御信号（（Ｉ）と（II）及び（III））をトリガとして、該回路がデータ信号を出力駆動電圧ラインに提供するステップと、前記ステップによる出力駆動電圧を画素へ出力することにより同時に表示画面において互いにｍ本の走査ラインを隔てる３本の同期走査ラインを生成し画像表示を行うステップと、黒ラインの走査期間にバックライトの明度を制御電圧で最小値に調整したとき、該期間における液晶総計光学レスポンスが最小値に調整され表示画面同士間の残留画像による画像オーバーラップ・ぼやけ現象を除去するステップとを有することを特徴とする。
【００５８】
[波形分析]
以下に、図１３の（ａ）―（ｄ）に基づいて、実施例６の図１１の（ａ）、（ｂ）に示す模擬装置による液晶駆動パルス電圧ＶＬＣ、液晶総計光学レスポンスＬｑ、バックライト制御電圧ＢＶ及びバックライト明度レスポンスＢＬ等の波形曲線同士の関係を説明する。
本実施例６では、波形の変化過程は、実施例５のそれと同様で、実施例５の[波形分析]を参照すると分かるため、その説明を省略する。
図１３の（ａ）の破線はＣＲＴ表示模擬のため駆動を行うときの液晶光学レスポンス特性曲線を示す。該図では各時刻同士間における出力駆動電圧ＶＬＣが（ｃｏｄｅ  ０）である場合、該当期間に表示パネルにて黒ライン走査を行い、従来の画面同士間での黒画面挿入と同様な効果が得られる。また、本発明では、バックライトユニットの明度は適当に調整可能なものとするため、液晶総計光学レスポンスＬｑの最小化が可能になる。これにより、画面同士間での残留画像による画面オーバーラップ・ぼやけ現象が確実に除去される。よって、ＬＣＤ表示器でＣＲＴ表示器のパルス型画像表示を模擬するという効果が得られる。これは本発明の従来の技術より最も優れるところである。
【００５９】
本実施例６では、説明の便宜のため、模擬装置から出力される液晶駆動パルス電圧ＶＬＣ、液晶総計光学レスポンスＬｑ、バックライト制御電圧ＢＶ及びバックライト明度レスポンスＢＬ等の波形は、実施例５のそれと同様なものとするが、実際は、ニーズに応じて、異なる波形を用いても良い。
前記の通り、本発明のＣＲＴパルス型画像表示を模擬したＬＣＤによる画像オーバーラップ・ぼやけ現象の除去方法及び装置は、従来の液晶表示器の欠点及び制限を確実に克服することができる。黒ラインの走査期間にバックライトユニットの明度を制御電圧で最小値に調整したとき、該期間における液晶総計光学レスポンスが最小値に調整され表示画面同士間の残留画像による画像オーバーラップ・ぼやけ現象を除去するという効果が得られる。また、装置の製造コストが低減し、機能が大幅に向上する。従って、本発明の方法及び装置は従来の技術より優れる。よって、本発明は産業上の利用可能性、新規性及び進歩性を有する。
本発明は前記実施例の如く提示されているが、これは本発明を限定するものではなく、当業者は本発明の要旨と範囲内において変形と修正をすることができる。
【図面の簡単な説明】
【００６０】
【図１】本発明の実施の形態に係る液晶表示器パネル及びバックライトユニットの構成概要を示す図である。
【図２】本発明の実施の形態に係る装置の各波形曲線同士の関係を示す図であり、（ａ）、（ｂ）、（ｃ）及び（ｄ）は夫々液晶駆動パルス電圧ＶＬＣ、液晶総計光学レスポンスＬｑ、バックライト制御電圧ＢＶ及びバックライト明度レスポンスＢＬの波形曲線を示す図である。
【図３】本発明の実施例１を示す図であり、（ａ）は複数のゲートラインとデータラインとの交差点からなる画素アレイ、及び複数のデータドライブと複数のゲートドライブとからなる駆動回路を示す図、（ｂ）は液晶表示器の加速駆動装置を示す図である。
【図４】本発明の実施例１に係る装置の液晶駆動パルス電圧ＶＬＣ、液晶総計光学レスポンスＬｑ、バックライト制御電圧ＢＶ及びバックライト明度レスポンスＢＬの波形曲線同士の関係を示す図であり、（ａ）は液晶駆動パルス電圧ＶＬＣの波形曲線、（ｂ）は液晶総計光学レスポンスＬｑの波形曲線、（ｃ）はバックライト制御電圧ＢＶの波形曲線、（ｄ）はバックライト明度レスポンスＢＬの波形曲線を示す図である。
【図５】本発明の実施例２を示す図であり、（ａ）は複数のゲートラインとデータラインとの交差点からなる画素アレイ、及び複数のデータドライブと複数のゲートドライブとからなる駆動回路を示す図、（ｂ）は液晶表示器の加速駆動装置を示す図である。
【図６】本発明の実施例２に係る装置の液晶駆動パルス電圧ＶＬＣ、液晶総計光学レスポンスＬｑ、バックライト制御電圧ＢＶ及びバックライト明度レスポンスＢＬの波形曲線同士の関係を示す図であり、（ａ）は液晶駆動パルス電圧ＶＬＣ波形曲線、（ｂ）は液晶総計光学レスポンスＬｑ波形曲線、（ｃ）はバックライト制御電圧ＢＶ波形曲線、（ｄ）はバックライト明度レスポンスＢＬの波形曲線を示す図である。
【図７】本発明の実施例３を示す図であり、（ａ）は複数のゲートラインとデータラインとの交差点からなる画素アレイ、及び複数のデータドライブと複数のゲートドライブとからなる駆動回路を示す図、（ｂ）は液晶表示器の加速駆動装置を示す図である。
【図８】本発明の実施例３に係る装置の液晶駆動パルス電圧ＶＬＣ、液晶総計光学レスポンスＬｑ、バックライト制御電圧ＢＶ及びバックライト明度レスポンスＢＬの波形曲線同士の関係を示す図であり、（ａ）は液晶駆動パルス電圧ＶＬＣの波形曲線、（ｂ）は液晶総計光学レスポンスＬｑの波形曲線、（ｃ）はバックライト制御電圧ＢＶの波形曲線、（ｄ）はバックライト明度レスポンスＢＬの波形曲線を示す図である。
【図９】本発明の実施例４を示す図であり、（ａ）は複数のゲートラインとデータラインとの交差点からなる画素アレイ、及び複数のデータドライブと複数のゲートドライブとからなる駆動回路を示す図、（ｂ）は液晶表示器の加速駆動装置を示す図である。
【図１０】本発明の実施例４に係る装置の液晶駆動パルス電圧ＶＬＣ、液晶総計光学レスポンスＬｑ、バックライト制御電圧ＢＶ及びバックライト明度レスポンスＢＬの波形曲線同士の関係を示す図であり、（ａ）は液晶駆動パルス電圧ＶＬＣの波形曲線、（ｂ）は液晶総計光学レスポンスＬｑの波形曲線、（ｃ）はバックライト制御電圧ＢＶの波形曲線、（ｄ）はバックライト明度レスポンスＢＬの波形曲線を示す図である。
【図１１】本発明の実施例５を示す図であり、（ａ）は複数のゲートラインとデータラインとの交差点からなる画素アレイ、及び複数のデータドライブと複数のゲートドライブとからなる駆動回路を示す図、（ｂ）は液晶表示器の加速駆動装置を示す図である。
【図１２】本発明の実施例５に係る装置の液晶駆動パルス電圧ＶＬＣ、液晶総計光学レスポンスＬｑ、バックライト制御電圧ＢＶ及びバックライト明度レスポンスＢＬの波形曲線同士の関係を示す図であり、（ａ）は液晶駆動パルス電圧ＶＬＣの波形曲線、（ｂ）は液晶総計光学レスポンスＬｑの波形曲線、（ｃ）はバックライト制御電圧ＢＶの波形曲線、（ｄ）はバックライト明度レスポンスＢＬの波形曲線を示す図である。
【図１３】本発明の実施例６を示す図であり、（ａ）は液晶駆動パルス電圧ＶＬＣの波形曲線、（ｂ）は液晶総計光学レスポンスＬｑの波形曲線、（ｃ）はバックライト制御電圧ＢＶの波形曲線、（ｄ）はバックライト明度レスポンスＢＬの波形曲線を示す図である。
【符号の説明】
【００６１】
１０  液晶表示パネル
２０  バックライトユニット
ａ、ｂ  液晶光学レスポンス曲線の点
ＢＬ０  バックライト明度レスポンス０
ＢＬ１  バックライト明度レスポンス１
ＢＶ１  バックライト制御電圧０
ＢＶ２  バックライト制御電圧１
（ｃ）、（ｄ）  特性曲線
Ａ１―Ａ6    時刻
ＣＳ  保持コンデンサ
ＣＬＣ  液晶同等コンデンサ
ＤＳ，Ｄ１，Ｄ２，Ｄ’，Ｄ１’  入力データライン
Ｇ１，Ｇ２，Ｇ１’，Ｇ２，Ｇｍ，Ｇｍ＋１，Ｇ２ｍ，Ｇ２ｍ＋１，Ｇ３ｍ  入力制御ライン
Ｌｑ１  液晶レスポンス１
Ｌｑ２  液晶レスポンス２
Ｌｑ３  液晶レスポンス３
ＶＬＣ  出力駆動電圧
Ｑ，Ｑ’，Ｑ１’，Ｑ２，Ｑ３，Ｑ４  トランジスター
ＶＣＯＭ  参考電圧
【図１】
2006011077.tif 000003
【図２】
2006011077.tif 000004
【図３】
2006011077.tif 000005
【図４】
2006011077.tif 000006
【図５】
2006011077.tif 000007
【図６】
2006011077.tif 000008
【図７】
2006011077.tif 000009
【図８】
2006011077.tif 000010
【図９】
2006011077.tif 000011
【図１０】
2006011077.tif 000012
【図１１】
2006011077.tif 000013
【図１２】
2006011077.tif 000014
【図１３】
2006011077.tif 000015